(57)【要約】  活性物質カートリッジはフレームと活性物質リフィルとを含む。活性物質リフィルは、活性物質を入れた少なくとも１つのリザーバと、第一端から延出する突出部とを含む。活性物質リフィルはフレーム上に配置されフレームに取り付けられる。
2008542135.tif 000002
【特許請求の範囲】
【請求項１】
フレームと、
活性物質を入れた少なくとも１つのリザーバと第一の端から延出する突出部とを含み、前記フレームに配置され前記フレームに取り付けられる活性物質リフィルと、
を含む活性物質カートリッジ。
【請求項２】
前記突出部がＵ字型開口部を含み、前記開口部は活性物質放散装置内に配置されるポストとスナップ係合するように構成され、前記突出部は前記活性物質カートリッジが挿入されたときに前記活性物質装置のスイッチを作動するように構成される請求項１記載の活性物質カートリッジ。
【請求項３】
前記フレームは側部にアパーチャを含み、前記リフィルは前記アパーチャ内に配置される請求項１記載の活性物質カートリッジ。
【請求項４】
前記フレームは、前記リフィルを前記フレームに固定するための少なくとも１つのタブをさらに含む請求項３記載の活性物質カートリッジ。
【請求項５】
前記リザーバは前記リザーバを囲繞するリップ部をさらに含み、前記少なくとも１つのタブは前記リフィルを前記フレーム内に確実に保持できるように前記リフィルの前記リップ部によって前記リフィルを固定する請求項４記載の活性物質カートリッジ。
【請求項６】
前記リザーバは頂面に配置された取り外せない蒸気浸透性シール層を含み、さらに、前記取り外せない蒸気浸透性シール層の上に、前記蒸気不浸透性層が前記リザーバから活性物質を透過させ得るように取り外し可能に配置された蒸気不浸透性層を含む請求項１記載の活性物質カートリッジ。
【請求項７】
フレームと、
活性物質を入れるとともに弾性の結合部により相互に結合された第一および第二のリザーバを含み、前記結合部で撓曲させることで前記フレームに取り付けられる活性物質リフィルと、
を含む活性物質カートリッジ。
【請求項８】
前記リフィルは、前記第一および第二のリザーバをそれぞれ囲繞する第一および第二のリップ部をさらに含み、
前記結合部は、前記リフィルを形成するように前記第一および第二のリップ部を結合する請求項７記載の活性物質カートリッジ。
【請求項９】
前記フレームは、内方向に延出した第一および第二の棚をそれぞれ有する第一のフレーム部および第二のフレーム部を含み、
前記第一および第二のフレーム部はそれぞれ第一および第二のアパーチャを形成し、
前記第一および第二のリザーバは前記カートリッジが組み立てられる際に前記第一および第二のアパーチャとそれぞれ位置合わせされる請求項７記載の活性物質カートリッジ。
【請求項１０】
第一および第二のフランジからそれぞれ内方向に延出した第一および第二のセットのタブを前記第一および第二のフレーム部がそれぞれ含み、前記リザーバの前記リップ部がそれぞれの棚とそれぞれの前記タブとの間に保持される請求項７記載の活性物質カートリッジ。
【請求項１１】
前記第一のフレーム部が前記第一の棚の背面から延出する第一の複数のポストを含み、前記第二のフレーム部が前記第二の棚の背面から延出する第二の複数のポストを含み、前記第一および前記第二の複数のポストは前記フレームを形成するように相互に結合される請求項９記載の活性物質カートリッジ。
【請求項１２】
前記フレームが前記フレームの第一の端から延出する突出部を含む請求項７記載の活性物質カートリッジ。
【請求項１３】
前記結合部は、前記結合部が前記フレームの前記第一の端を越えて延出するようにアパーチャを含み、前記突出部が前記アパーチャを通って延出する請求項１２記載の活性物質カートリッジ。
【請求項１４】
前記突出部がＵ字型開口部を含み、前記開口部は活性物質放散装置内に配置されるポストとスナップ係合するように構成され、前記突出部は前記活性物質カートリッジが挿入されたときに前記活性物質装置のスイッチを起動するように構成される請求項１２記載の活性物質カートリッジ。
【請求項１５】
前記第一および第二のリザーバは、第一および第二の頂面にそれぞれ配置される第一および第二の取り外せない蒸気浸透性シール層を含み、さらに前記取り外せない蒸気浸透性シール層の上にそれぞれ配置される第一および第二の取り外し可能な蒸気不浸透性層を含み、
１つ以上の前記蒸気不浸透性層は前記各リザーバから活性物質を透過させるように取り外せる請求項７記載の活性物質カートリッジ。
【請求項１６】
内側シェルと、
前記内側シェルの底部に配置されるスカートと、
前記スカートを定位置に固定するように前記内側シェルに固定される取付構造と、
前記取付構造を介して前記内側シェルに固定される外側シェルと、
を含む光または活性物質放散装置用ホルダ。
【請求項１７】
前記取付構造が外方向に突出する複数の弾性フィンガーを含み、前記外側シェルが前記内側シェルに取り付けられると、前記フィンガーが撓曲し前記内側シェルと外側シェルの間の空隙にフィットすることで前記内側シェルと外側シェルの間に干渉を生じる請求項１６記載の光または活性物質放散装置用ホルダ。
【請求項１８】
前記取付構造が、前記取付構造が前記内側シェルの周囲に配置され前記内側シェルに固定されたときに、前記スカートを定位置に保持するフット部を含む請求項１７記載の光または活性物質放散装置用ホルダ。
【請求項１９】
前記内側シェルが、前記内側シェルの周縁に配置される少なくとも１つの突起を含み、前記少なくとも１つの突起により前記取付構造が前記内側シェル上に保持される請求項１６記載の光または活性物質放散装置用ホルダ。
【請求項２０】
筐体ベース、前記ベースから上方向に延出する筐体カラム、および前記筐体カラム内に配置される活性物質放散器を含み、前記内側シェルが前記筐体ベースに取り付けられる活性物質放散装置と組み合わされる請求項１６記載の光または活性物質放散装置用ホルダ。
【請求項２１】
活性物質および光放散装置であって、
ベースと、
前記ベースから上方向に延出するカラムと、
キャンドルの火炎を模した点滅光を発するとともに前記カラムに支持される少なくとも１つのＬＥＤと、
前記カラムに取り付けられる活性物質カートリッジと、
前記カートリッジを前記装置に挿入し、前記装置への空気流を可能とするように前記装置に設けられるアパーチャと、
前記カートリッジを前記カラムに固定するための取付手段と、
を含む活性物質および光放散装置。
【請求項２２】
取付手段が前記カラムから延出するポストからなり、Ｕ字型開口部を画定する壁が前記ポストと係合して前記カートリッジを前記装置内に保持するように前記活性物質カートリッジが端部に前記Ｕ字型開口部を含む請求項２１記載の活性物質放散装置。
【請求項２３】
前記カートリッジを前記ポストと係合させるようにガイドするガイド構造をさらに含む請求項２２記載の活性物質放散装置。
【請求項２４】
前記活性物質カートリッジが前記装置に挿入されると、前記カートリッジがカートリッジが存在することを前記装置に表示する位置に前記レバーをトグル留めするように前記カラムから延出するレバーをさらに含む請求項２１記載の活性物質放散装置。
【請求項２５】
少なくとも１つのＬＥＤを囲繞する発光チップ、チップを囲繞するカラー、および前記カラーの下に配置される有孔媒体をさらに含む請求項２１記載の活性物質放散装置。
【請求項２６】
前記装置はキャンドルの火炎を模した光を発する２つのＬＥＤを含み、前記ＬＥＤはスペーサ装置により位置決めされる請求項２１記載の活性物質放散装置。
【請求項２７】
内側シェルと外側シェルとを含むホルダをさらに含み、前記内側シェルおよび外側シェルは取付構造によって相互に着脱可能に固定される請求項２１記載の活性物質放散装置。
【請求項２８】
前記ＬＥＤを制御する手段をさらに含む請求項２１記載の活性物質放散装置。
【発明の詳細な説明】
【技術分野】
【０００１】
関連出願する出願の参照
本出願は、２００５年２月３日に出願された米国特許出願第１１／０５０,２４２号「光および揮発性活性物質の調和された放射を行う装置（Ｄｅｖｉｃｅ  Ｐｒｏｖｉｄｉｎｇ  Ｃｏｏｒｄｉｎａｔｅｄ  Ｅｍｉｓｓｉｏｎ  ｏｆ  Ｌｉｇｈｔ  ａｎｄ  Ｖｏｌａｔｉｌｅ  Ａｃｔｉｖｅ）」の一部継続出願であり、２００４年２月３日に出願された米国特許仮出願第６０／５４１,０６７号に対し優先権を主張する。また、本出願は、２００５年２月３日に出願された米国特許出願第１１／０５０,１６９号「光および揮発性活性物質の調和された放射を行う装置（Ｄｅｖｉｃｅ  Ｐｒｏｖｉｄｉｎｇ  Ｃｏｏｒｄｉｎａｔｅｄ  Ｅｍｉｓｓｉｏｎ  ｏｆ  Ｌｉｇｈｔ  ａｎｄ  Ｖｏｌａｔｉｌｅ  Ａｃｔｉｖｅ）」の一部継続出願であり、２００４年２月３日に出願された米国特許仮出願第６０／５４１,０６７号に対し優先権を主張する。
【０００２】
連邦政府による資金提供を受けた研究開発の記載
非適用
【０００３】
連続リスティング
非適用
【０００４】
本発明は活性物質放射装置に係り、より詳しくは活性物質放射装置とその構成要素に関する。
【背景技術】
【０００５】
活性物質放射装置または拡散器は市場で数多く存在している。このような装置の多くは、液体活性物質を分散させるに当たり周囲の空気流のみを要する受動的装置である。バッテリ式あるいは装置から延出するプラグを介して家庭の電源を利用する装置もある。プラグと装置の間にコードをつないでもよく、装置にプラグを直接取り付けてもよい。
【０００６】
活性物質を活性物質放射装置から投与するための（ｆｏｒ  ｄｉｓｐｅｎｓｉｎｇ）各種手段が当該技術で知られている。例えば、蒸発を促進すべく活性物質を加熱する発熱体を含む装置もある。活性物質を拡散装置から周囲の環境に向けるための空気流を発生させるファンもしくは送風機を用いた装置もある。芳香リング（ｓｃｅｎｔ  ｒｉｎｇ）を放射すべくエアパルスを供給するボーラス発生器を利用して活性物質を装置から放射するタイプの装置もある。さらに、超音波手段を利用して活性物質を投与する装置もある。
【０００７】
一例において、活性物質放射装置は芳香剤を分散させるための２台の加熱器を含む。装置はハウジング、ハウジングから延出する、コンセントに差し込むためのプラグ、および芳香剤を収容するとともに、芳香剤を吸収すべく容器から延出する芯を有する２つの容器を含む。各加熱器は芯をそれぞれ加熱して芳香剤を気化させるべく一方の芯に隣接して配置される。必要に応じて、内蔵されたソフトウェアにより制御されるＣＰＵが２台の加熱器の一方を所定期間起動させてもよい。所定期間が経過すると、ＣＰＵは当該加熱器を停止させ、他方の加熱器を起動させる。
【０００８】
他に、カートリッジを収容するキャビティを有するハウジングを含む活性物質放射装置もある。一般的にカートリッジは回転可能なディスク上に配置される複数の芳香成分を有する。空気を芳香成分に沿って通過させ、ハウジングのアパーチャから排出させることにより空気の流れを発生させるための送風機がハウジングに取り付けられる。また、ハウジングは回転可能なディスクを回転させ、ディスクに配置された芳香成分を回転させる回転手段を含む。装置は所定期間にわたって第一の芳香を拡散させ、次いでディスクを第二の芳香まで回転させ、所定期間にわたって第二の芳香を拡散させる。このプロセスは最後の芳香成分が所定期間拡散され、ディスクがホームポジションまで回転するまで反復される。
【０００９】
圧電起動振動型液体霧化装置がヘルフ（ＨｅＩｆ）らの米国特許第６,２９３,４７４号、マーティン（Ｍａｒｔｉｎ）らの米国特許第６,３４１,７３２号、トムキンズ（Ｔｏｍｋｉｎｓ）らの米国特許第６,３８２,５２２号、マーテンスＩＩＩ（ＭａｒｔｅｎｓＩＩＩ）らの米国特許第６,４５０,４１９号、ＨｅＩｆらの米国特許第６,７０６,９８８号、ボティッキ（Ｂｏｔｉｃｋｉ）らの米国特許第６,８４３,４３０号に記載されている。上記特許文献は全て本出願と同一出願人によるものであり、参照によって本願明細書に援用される。これらの特許文献には、液体霧化プレートに結合された圧電起動素子を含む装置が記載されている。圧電起動素子は起動素子に印加される交流電圧に反応して液体霧化プレートを振動させる。プレートの振動により、液体輸送システムにより供給される液体が霧化される。起動素子の反対側と電気的に接触している導体素子に交流電圧を供給するための電気回路が設けられている。導体素子は起動素子と液体霧化プレートとを、装置を収容するハウジング内に支持する機能を有していてもよい。
【００１０】
固体、半固体、ゲル状、および液体の活性物質用に各種タイプの活性物質カートリッジが用いられている。例えば、加熱された装置に用いられるタイプのカートリッジは、活性物質を入れたリザーバ、リザーバを被覆し、蒸気が通過して分散される蒸気透過性層、および蒸気透過性層の上に設けられる蒸気不透過性層を含む。蒸気不透過性層はカートリッジ使用の際に蒸気透過性層から剥離される。リザーバは中央に配置されるとともにリザーバ底面から上方向に延出し、蒸気透過性層と干渉しないよう蒸気透過性層のやや下部に端部を有する自立リブを含む。
【００１１】
非活性物質に用いられる別のカートリッジは活性物質用の２つのリザーバを含む。各リザーバは、リザーバを被覆し、蒸気が通過して分散される蒸気透過性層、および蒸気透過性層上に配置される取り外し可能な蒸気不透過性層を含む。蒸気不透過性層の一方もしくは両方が除去されると、活性物質が周囲の環境へ分散される。２つのリザーバは弾性ヒンジによって相互に結合されている。
【００１２】
各種活性物質放射装置に利用される別のカートリッジは円筒形の内側コンパートメントと、内側コンパートメントを囲繞する円筒形の外側コンパートメントとを有する剛性円筒形本体を含む。内側コンパートメント（ｃｏｍｐａｒｔｍｅｎｔ）は活性物質放射装置のファンおよび／または他の構成要素に給電するためのバッテリを含むことが望ましい。外側コンパートメントは気化しうる材料を通常は半透過性被覆を有するパックの形態で含む。
【００１３】
１つ以上の芳香剤を放射させるための自立カートリッジは１種以上の芳香剤をその中に保持するための１つ以上のリザーバを含む。リザーバはボトルなどの形状を有してもよく、パチンと閉まる開口部として設計されることが望ましい投与用開口部をさらに含んでもよい。
【００１４】
別のカートリッジは任意の適切な無孔材料で作製される円筒形ハウジングを含む。ハウジングはアパーチャを設けた頂部、およびプラスチックまたは金属などの剛性材料で作製された底を含む。バッテリは円筒形ハウジング中央部に取り付けられ、ハウジングとバッテリの外側表面との間に環状空間が画定される。活性物質を含浸させた支持ストリップ材料が環状空間に取り付けられる。支持ストリップ材料は折り目を有するアコーディオンひだの形態をとり、これにより支持ストリップ材料のセクション間に空気の通路が形成されている。
【特許文献１】米国特許第６,２９３,４７４号
【特許文献２】米国特許第６,３４１,７３２号
【特許文献３】米国特許第６,３８２,５２２号
【特許文献４】米国特許第６,４５０,４１９号
【特許文献５】米国特許第６,７０６,９８８号
【特許文献６】米国特許第６,８４３,４３０号
【発明の開示】
【００１５】
本発明の一態様によれば、活性物質カートリッジはフレームと活性物質リフィル（ｒｉｆｉｌｌ）とを含む。活性物質リフィルは活性物質を入れた少なくとも１つのリザーバと、該リザーバの第一端から延出する突出部とを含む。活性物質リフィルはフレーム上に配置され、フレームに取り付けられる。
【００１６】
本発明の別の態様によれば、活性物質カートリッジはフレームと活性物質リフィルとを含む。リフィルは活性物質を収容するとともに弾性結合部により相互に結合された第一リザーバおよび第二リザーバを含み、リフィルは結合部回りにリフィルを撓曲させることでフレームに取り付けられる。
【００１７】
本発明のさらに別の態様によると、光および活性物質放射装置のホルダは内側シェルと、内側シェル底部全体にわたって配置されるスカートとを含む。ホルダは取付構造がスカートを定位置に固定するように内側シェルに固定される取付構造さらに含む。さらに、ホルダは取付構造を介して内側シェルに固定される外側シェルを含む。
【００１８】
本発明のさらに別の態様によると、活性物質および光放射装置はベースと、ベースから上方向に延出するカラムを含む。装置はキャンドルの炎を模した点滅光を発する少なくとも１つのＬＥＤをさらに含み、ＬＥＤはカラムに支持される。さらに、装置は、カラムに取り付けられる活性物質カートリッジ、カートリッジを装置に挿入するため、および空気流を装置に導入するために装置に設けられるアパーチャ、ならびにカートリッジをカラムに固定するための取付手段を含む。
【発明を実施するための最良の形態】
【００１９】
本発明の他の態様および利点は以下の詳細な説明を考慮することで明らかとなるであろう。
【００２０】
本発明は、光と活性物質を両方放射する装置を含む。本発明はむき出しの火炎を用いずに香料入りキャンドルの視覚的・嗅覚的美しさを模した、改良された活性物質輸送システムを備えた単一の装置を含むことが望ましい。
【００２１】
本発明の好適な実施形態は活性物質、好適には芳香剤を放射することを含むが、発明人らは本発明のディスペンサが他の活性物質を投与しうることを意図している。芳香剤に代わる活性物質として、例えば殺菌剤、消毒剤、殺虫剤、虫除け、昆虫誘引剤、薬物、空気浄化剤、アロマセラピー用アロマ、防腐剤、消臭剤、空気清浄剤、脱臭剤、および空気中に効果的に投与されうる他の活性成分が挙げられる。当業者には明らかなように、他の活性物質も芳香剤と概ね同じ方法でディスペンサを介して周囲の環境に導入できる。
【００２２】
図面からわかるように、装置は光と活性物質の両方を放射することが望ましい。装置は電気式光源、活性物質放射器、電源、制御回路、および支持構造を含むことが望ましい。これらの構成要素は全て協働し、芳香性アロマと、点滅火炎を模した外見を提供することが望ましい。点滅効果は電気式光源により提供される。
【００２３】
光源
光源は電気式発光装置である。光源は任意の数の従来の照明器具（白熱、ハロゲン、蛍光など）を含むことができるが、好適な構成では、光源は１つ以上の発光ダイオード（ＬＥＤ）を含む。光源は２つのＬＥＤを含むことが望ましい。
【００２４】
ＬＥＤは主波長、あるいは極めて狭い波長範囲で発光する。（簡単に説明するため、ＬＥＤの主波長に言及した場合は狭い波長範囲をも含むものと解されたい。）例えば、青色ＬＥＤは色スペクトルの青色範囲に主波長を有する光を発する。（主波長や強度は気温の変動などによりわずかに変動（ｄｒｉｆｔ）するものの、）この主波長は所与のＬＥＤについて実質上制御可能でない。しかし、光強度は所与のＬＥＤについて制御可能である。例えば、ＬＥＤ主波長の光強度を変更すべく印加電流を変更することでＬＥＤを制御できる。この制御は多くの手段により実行できるが、中でもパルス幅変調（ＰＷＭ）が望ましい。コントローラはＬＥＤ操作に関する指令をメモリまたは外部ソースから受け取ることが望ましい。ＰＷＭを行う場合、コントローラは各ＬＥＤにデューティサイクル（負荷時間）を設定し、当該ＬＥＤのオン時間とオフ時間とを定義する。オン時間の間、すなわちパルス幅の間、電流がＬＥＤに供給され、ＬＥＤが発光する。従って、パルス幅を変更するとＬＥＤの発光時間が変わる。よって、ダイオードはデューティサイクルが経時的に反復することで点滅する。この反復が比較的高周波で行われると、見る側はダイオードのオン・オフを知覚できない。従って、見る側は光が一定して発せられていると知覚する。この場合、デューティサイクルを経時的に変更して発光強度を変化させることで点滅効果が得られる。あるいは、デューティサイクルの周波数が比較的低く、見る側がダイオードのオン時間・オフ時間を知覚可能とすることで点滅が行われる場合にも点滅効果が得られる。当然ながら、これらの点滅方法を組み合わせてもよい。従って、最大強度に達するまで（例えば白熱電球にてフィラメントが加熱されるまで）と、発光停止まで（例えばフィラメントが冷却されるまで）に時間を要するために迅速なオン／オフ切り換えができない従来の光と比べて制御面で優れている。当業者には明らかなように、１つ以上のＬＥＤの制御にパルス幅変調を利用する場合、実質上一定強度で動作しているように見えるＬＥＤと点滅しているＬＥＤとがともに見る側には知覚できない高周波で点滅している場合もある。従って、点滅および一定強度の光は、本願明細書では知覚効果として理解されたい。
【００２５】
デューティサイクルを変更する代わりに、コントローラは電流の供給方法を調節し、ＬＥＤの発光特性を変更してもよい。例えばアナログ正弦波もしくはデジタル電位差計を利用した方法が一般的に当該技術で知られている。
【００２６】
従って、ＬＥＤ照明では、見る側は当該ＬＥＤの主波長に対応する色を知覚するのであり、パルス幅の変動により減光効果が生ずる。ＬＥＤ制御方法は当該技術で周知であり、詳細な説明は割愛する。ＬＥＤの別の操作方法も知られており、その利用は当業者には明らかである。
【００２７】
２つのＬＥＤが用いられる場合、２つのＬＥＤは（図４に最も明確に示されているように）一方の上に他方を配置することが望ましい。すなわち上側のＬＥＤが下側のＬＥＤの、光および活性物質放射装置のベースと反対側に配置されることが望ましい。上側のＬＥＤは知覚可能であるように断続的に、および／または様々な強度で発光すべく制御されることが望ましい。例えば、知覚強度を変化させ、ＬＥＤの知覚可能な断続的オン・オフ時間を提供すべくＬＥＤのパルス幅を経時的に調節してもよい。よって、様々な強度一定の（知覚された）発光を提供すること、（知覚された）断続的発光を提供すること、またはこれらを組み合わせることで光を点滅させることができる。上側のＬＥＤとは対照的に、下側のＬＥＤは光が実質上連続しておよび／または実質上一定強度で発せられているように知覚されるべく制御される。この「連続した」光はＬＥＤに一定の電流が供給されることによって生じ、あるいは経時的に実質上一定のパルス幅が提供され、当該ＬＥＤ自身を見たときに見る側が一定の光を知覚することにより得られる。あるいは、パルス幅はわずかな強度変化を提供すべく経時的にわずかに調整されてもよい。
【００２８】
このようにして、ＬＥＤは点滅効果を創出すべく作用する。例えば、従来のキャンドルが点火されると、火炎のベースは実質的に静止しているが、芯の基部から遠い火炎の一部はより明白に点滅する。上記ＬＥＤ構成はこの視覚的特性を模している。黄色がかった、あるいは琥珀色の色調を有するＬＥＤを利用することが望ましい。特に、使用されるＬＥＤは約５８０ナノメートル〜約６００ナノメートルの範囲の放射波長を有することが好ましく、使用されるＬＥＤは約５８５ナノメートル〜約５９５ナノメートルの放射波長を有することがより望ましい。
【００２９】
当然ながら、光源に対する変更は可能である。例えば、様々な強度および／または知覚可能な断続性を有するべく制御されることで点滅効果を提供する単一ＬＥＤを用いてもよい。単一ＬＥＤを利用した装置は低コスト装置であり、消費電力が少ない。また、例えばより大きい火炎を知覚させるべく２つ以上のＬＥＤを利用してもよい。多色ＬＥＤも知られており、例えば赤系、橙系および／または黄色系の色調を用いてより火炎に似せた構成とすべく利用できる。また、例えばＲＧＢ色のＬＥＤ（すなわち赤色、緑色、青色ＬＥＤのアレイ）を利用して色を変更することもできる。様々なタイプのＬＥＤ、ならびにＬＥＤ構成を利用することで、各種着色ショー、着色火炎および／または着色点滅など多様な美しさが得られる。また、ＬＥＤのデューティサイクルを調節することで、設計上の嗜好に応じて光の明るさを増減できる。必要に応じて、ＬＥＤを用いた点滅効果の創出に加え、あるいはその代わりに着色ＬＥＤを利用してもよい。
【００３０】
さらに、多数のＬＥＤが利用される場合、あるＬＥＤが実質上一定の強度で発光し、別のＬＥＤが点滅効果を提供する構成でなくともよい。一方または両方が実質上一定の強度に維持され、および一方または両方が点滅光を発してもよい。
【００３１】
活性物質放射器
活性物質放射器は活性物質放射装置と一体的に設けられることが望ましい。活性物質放射器は、ゲル状、液体状など多数の従来の形状のいずれかを呈する活性物質を有する交換可能なカートリッジを含むことが望ましい。一般的に、活性物質はこのようなゲル状や液体形状で、例えば含浸、混合、被覆、可溶化、または他の手段により担体物質に組み込まれる。活性物質および担体は例えば、カートリッジ、ポーチ、内袋（ｂｌａｄｄｅｒ）、リザーバ、などの容器に収容される。容器の一部は、活性物質が通過できるよう形成されている。例えば、活性物質は空気が通った際に透過性部を通って発散されてもよい。また、活性物質は対流を増大させカートリッジから発散させるべく熱を付与されることで気化してもよい。この場合、ディスペンサは揮発性物質のカートリッジからの放散速度を変化させる制御可能な加熱装置、あるいは気化される活性物質の周囲の空気流を制御する機械的制御装置（シールドやファンなど）を有していてもよい。
【００３２】
活性物質の放射は各種他の方法によって強化もしくは加速されてもよい。例えば、活性物質を入れるリザーバは金属材料で作製してもよい。金属が熱伝導性を有することから、金属リザーバは周囲の熱を活性物質に付与し、活性物質の蒸発を早める。さらに、取り外し可能なフォイル材料を、活性物質を入れたリザーバ上に配置してもよい。フォイルに印刷されたインクや抵抗器を配置してもよい。フォイル材料がリザーバから除去されると、フォイル材料の一部はリザーバを囲繞するリップ部に残留する。金属リザーバを利用すると、印刷されたインクや抵抗器の熱伝導性によりリザーバ内の活性物質に周囲の熱が付与される。
【００３３】
別のタイプの活性物質放射器は芯ベースの発散器である。この放射器では液体は芯を通じて毛管現象によりリザーバなどの容器から抽出され、大気中に投与される。さらに、活性物質ディスペンサは芯から活性物質を発散させるために霧化器を利用してもよい。
【００３４】
特に、この霧化器タイプの活性物質ディスペンサはリザーバから液体を抽出するのに芯を利用する。微小テーパードオリフィスが貫通するオリフィスプレートが芯に接触して配置されている。例えば圧電セラミック材料で作製されるアクチュエータ素子がオリフィスプレートに固定されていることが望ましい。アクチュエータ素子は環状に形成されることが望ましく、オリフィスプレートは円形であることが望ましい。電力が高周波交流電圧の形態でアクチュエータ素子の対向する上下側に印加され、アクチュエータ素子全体にわたり電場を形成する。この電場によりアクチュエータ素子が半径方向に伸縮し、オリフィスプレートの中央領域が軸方向（例えば上下）に振動するようオリフィスプレートを撓曲させる。この振動の結果、液体がオリフィスプレートのオリフィスを通過し、小滴の形態でオリフィスプレート上面から排出される。
【００３５】
この種の霧化装置のより詳細な説明は同一出願人による同時係争中の、２００３年４月１４日に出願された米国出願第１０／４１２,９１１号（米国特許公開第２００４／０２００９０７号）に記載されており、その開示内容は参照によって本願明細書に援用される。また、霧化装置の支持構造のより詳細な説明は同一出願人による同時係争中の、２００２年１１月２６日に出願された米国出願第１０／２４１,２１５号（米国出願公開第２００３／００６９４７１号）に記載されており、その開示内容は参照によって本願明細書に援用される。
【００３６】
当然ながら、所望に応じて設計上の選択、製造コストなどを考慮して他の活性物質放射装置を用いることもできる。さらに、当業者には明らかであるように各タイプのディスペンサの中でも変更が可能である。
【００３７】
電源
電源は光源を点灯させるべく給電を行い、必要に応じて活性物質の放散を補助すべく活性物質放射器に給電する。例えば、電力供給は上記霧化タイプの活性物質ディスペンサにおいてアクチュエータプレートの上下面に電圧を供給する。さらに、電源は電力、ファン、加熱器、または音声構成要素などの追加構成要素への給電にも利用できる。
【００３８】
電源は変圧器のバッテリから電力を受ける直流（ＤＣ）電源、あるいは交流電流（ＡＣ）電源とすることができる。好適な実施形態では、電源は１つ以上のバッテリを含む。１つのバッテリが使用される場合、構成要素に十分な電力を確実に供給すべく昇圧もしくは電荷ポンプ（詳細は後述する）を利用してもよい。バッテリは交換可能、あるいは再充電可能であってもよい。再充電可能なバッテリが使用される場合、バッテリは再充電のために取り外し可能であってもよく、装置から取り外さずともバッテリの充電ができるよう装置にアダプタを設けてもよい。例えば、電源コンセントから給電するためのプラグを収容する容器を装置に組み込んでもよい。
【００３９】
但し、電源はバッテリを含まなくともよい。例えば、装置への電力を電源コンセントから直接取得してもよい。なお、当業者には明らかなように、交流電源を使用する場合、装置はＡＣ-ＤＣもしくはＡＣ-ＡＣコンバータをさらに含む必要がある。
【００４０】
制御回路
本願明細書を通じて、用語「制御回路」は、活性物質放射装置とともに用いることのできるあらゆる制御を含む代表的用語であることが意図されている。例えば、制御回路を構成するマイクロコントローラおよび／または回路盤を参照しながら以下に好適な実施形態を説明する。活性物質放射装置を具体化すべく利用できる制御回路として、特定用途向け集積回路（ＡＳＩＣ）、マイクロプロセッサ、１つ以上の抵抗器、コンデンサ、および／または他の構成要素が意図されている。制御回路はソフトウェアを含んでいても含んでいなくてもよい。これらの制御回路の例は本発明を限定せず、他の制御回路も利用可能である。
【００４１】
制御回路は一般的に装置の動作を制御するために使用され、バッテリから電力を受ける。特に、制御回路は光源の動作を制御するための信号を提供すべく設計される。１つ以上のＬＥＤが光源として設けられている場合、マイクロコントローラは発せられた光の知覚強度を制御し、キャンドル様の点滅効果を創出すべくＬＥＤのデューティサイクルを変更してもよい。
【００４２】
少なくとも２つのＬＥＤが用いられ、一方のＬＥＤの強度が実質上一定であると知覚される光を発する一定の電流を受け取る場合、装置がオンとなる際に電源から電力供給を受け取るため、あるいは装置がオフとなる際に電力を受け取らないようにするため、ＬＥＤは回路盤とは別個に制御されることができる。換言すれば、一方のＬＥＤが一定強度の光を発する場合、デューティサイクル内でパルス幅を調節するための（マイクロコントローラなどの）手段を設ける必要はない。この場合、マイクロコントローラは点滅するＬＥＤの動作のみを調節してもよい。他の実施形態において、パルス幅の周波数が見る側に知覚できないようにコントローラによって設定されるパルス幅変調により、一定の放射を行うＬＥＤを制御できる。このように一定の放射を行うＬＥＤの強度は全体的に点滅表示を加えるためわずかに変動してもよい。
【００４３】
また、霧化器を含む活性物質放射ディスペンサが用いられる場合、制御回路はバッテリからの電力を、アクチュエータ部材を拡縮させることでディスペンサから活性物質を放射するのに必要な高周波数交流電圧に変換する回路を含んでいてもよい。また、マイクロコントローラは活性物質の分散を補助するファン、発熱体、音声構成要素などを制御してもよい。さらに、マイクロコントローラは光源、活性物質ディスペンサ、および／または音声構成要素の１つもしくは全てを自動的にオンおよび／またはオフとする制御を含んでいてもよい。例えば、タイマーを含んでいてもよく、所定の時間が経過すると、構成要素の一部もしくは全てがオフとなる。上述の如く音声構成要素は音声を発する任意の装置とすることができる。発せられる音声として音楽、海岸、雨、動物、滝の音などが挙げられるがこれらに限定されない。
【００４４】
また、制御回路は他の機能を果たしてもよい。例えば、電源としてバッテリを利用する場合、場合によっては電荷ポンプを組み込むことが望ましい。なお、ＬＥＤは動作に当たり順電圧を必要とする。順電圧はＬＥＤの発光色などにより変化することがあるが、好適なＬＥＤは約１.８〜約２.５ボルトの電圧を順電圧として必要とする。但し、一般的には約２.０〜約２.１ボルトの電圧を必要とする。バッテリ供給電圧が経時的に低下し順電圧を下回ると、電荷ポンプはＬＥＤへの供給電圧が確実にＬＥＤの順電圧を上回るようにする。電荷ポンプはバッテリ供給電圧よりも高いレベルの電圧を発生するため、電力保存用に１つ以上のコンデンサを利用する。従って、電荷ポンプは順電圧よりも高いレベルに電圧を昇圧できる。このように、出力電圧が低下するまでバッテリが消耗したとしてもＬＥＤの動作は継続する。従って、単一セットのバッテリにより、電荷ポンプを利用しない場合と比べて長い時間装置に給電できる。
【００４５】
また、制御回路はバッテリ電圧に関わらず確実に一定の電流がＬＥＤに印加されるようにするための一定の電流源を組み込んでいてもよい。一定の電流源が組み込まれない場合、高い電圧および対応するＬＥＤ電流がバッテリの使用開始時から供給され、バッテリの使用に伴い徐々に消耗する。これにより、見る側は新しいバッテリセットが導入された際に点滅が明るくなったと知覚し、またバッテリ出力が順電圧以下に低下するにつれ強度が低下したと知覚する。この時点で電荷ポンプが起動される。よって、一定の電流源を設けることで、ＬＥＤは経時的に一定強度で発光しうる。これにより、バッテリ電力が低下した際の明らかな減光を防止する。但し電荷ポンプが使用されると電流は一定してＬＥＤに供給されない。電荷ポンプが充電される間に時間間隔が必ず存在するため、電荷ポンプを通じて提供される電力は本質的に断続的である。従って一定の電流がＬＥＤに供給されず、電荷ポンプが動作する間一定の電流源が適切に機能しない。
【００４６】
なお、一定の平均電流源を介して一定の平均電流をＬＥＤに供給することは可能である。一定の平均電流源において、サイクルにわたって提供されていたはずの一定の電流に等しい平均電流を得るためにサイクルの一部の間電流が供給される。すなわち、一定の電流源が２つのＬＥＤの各々に一定の電流を供給する場合、一定の平均電流源は（ｉ）サイクルの一部（サイクルは好適な設計態様に基づいて設定され、ＬＥＤの光強度変調に対して記載したデューティサイクルと同一ではない）の第一のＬＥＤに（一般的に一定の）電流を供給し、（ｉｉ）サイクルの別の一部の第二のＬＥＤに（一般的に一定の）電流を供給し、ならびにサイクルの最後の部分の間いずれのＬＥＤにも電流を供給しない。例えば、２つのＬＥＤが設けられている場合、ＬＥＤが使用可能であるとき、一定の電流源は一定の電流、例えば１５ｍＡを第一のＬＥＤに、１５ｍＡを第二のＬＥＤに供給する。但し、例えば一定の平均電流源は４５ｍＡをサイクルの１／３の間第一のＬＥＤに、４５ｍＡを別のサイクルの１／３の間第二のＬＥＤに供給する。最後のサイクルの１／３の間電流は供給されない。あるいは、ＬＥＤが使用可能であるサイクルの２／３にわたって電圧がわずかに低下することがあるため、充電後間もなく使用可能なＬＥＤは、使用可能な第二のＬＥＤよりもわずかに強度が高く見える。従って、ＬＥＤを駆動するための別のサイクルは、順に、いずれのＬＥＤも使用可能でない第一の１／６、第一のＬＥＤが使用可能である第二の１／６、第二のＬＥＤが使用可能である第三の１／６、いずれのＬＥＤも使用可能でない第四の１／６、第二のＬＥＤが使用可能である第五の１／６、および第一のＬＥＤが使用可能である最後の１／６から構成される。このように、第一のＬＥＤは半分の時間で充電された直後に使用可能となり、第二のＬＥＤは別の半分の時間で充電された直後に使用可能となる。従って、両方の例において、ＬＥＤに供給される平均電流は一定の電流源から提供される電流と同一である。但し、このようにサイクルの一部の間いずれのＬＥＤにも電流が供給されず、電荷ポンプの作動のための時間的ギャップが維持される。従って、充電時間がサイクルの一部をなしていることから、電荷ポンプが起動されるても動作には変化がない。当業者には明らかなように、平均電流源が使用するサイクルは、ＬＥＤが一定に発光（あるいは上述の如く知覚される点滅光を発光）していると知覚できる程度に高周波とすべきである。
【００４７】
１つ以上の電荷ポンプ、一定の電流源、一定の平均電流源は様々に組み合わせて用いることができる。例えば電荷ポンプが起動され、次いで一定の平均電流源が利用可能となるまで一定の電流源を利用してもよい。本願明細書では簡便を期すため、一定の電流または一定の平均電流を提供するメカニズムを指すとき用語として「電流源コントローラ」を用いる。一定の電流または一定の平均電流の提供は、一定の電流源、一定の平均電流源、あるいはこれらの組み合わせにより達成できる。
【００４８】
制御回路はバッテリが一定電圧を下回る点まで放電すると装置をシャットダウンする制御を含んでいてもよい。このように、装置は枯渇しつつあるバッテリから電力を引き続き抽出せず、バッテリのバッテリ酸漏洩のリスクを低減する。さらに、制御回路は、センサおよび／またはスイッチを用いて、活性物質放射器が装置内に配置されたときのみＬＥＤの動作を許可するよう設計されてもよい。
【００４９】
支持構造
活性物質放射装置は、光源、活性物質放射器、電源、制御回路、またはこれらのいくつかの組み合わせを支持するために設けられる支持構造をさらに含む。用語「支持構造」は本願明細書の説明で用いられる場合、筐体、ハウジング、ホルダ、ベースのいずれかもしくは全て、ならびに活性物質放射装置の特徴を支持または収容するために使用される同様の構造を含むことが意図されている。
【００５０】
活性物質放射装置
活性物質放射装置の構成要素について概略的に述べてきたが、以下では上記構成要素の各種新規な構成、ならびに追加の特徴を含む光および活性物質放射装置の詳細について議論する。
【００５１】
活性物質放射装置１００が図１〜図７に図示されている。本願明細書では装置を活性物質放射装置としているが、発光装置としてもよい。装置１００は筐体ベース１０２ｂと、筐体ベース１０２ｂから上方向に延出する筐体カラム１０２ａとを含む筐体１０２を含む。筐体ベース１０２ｂと筐体カラム１０２ａとは一体形成されていてもよく、また別体の取付け可能部品であってもよい。筐体１０２は追加の構成要素をさらに含んでもよい。例えば、１つ以上のフット１０２ｃが筐体ベース１０２ｂから垂下してもよい。フット１０２ｃは筐体ベース１０２ｂに取付け可能であってもよく、筐体ベース１０２ｂと一体形成されてもよい。さらに、図１に示すように、１つ以上のアパーチャまたはスロット１０４が筐体ベース１０２ｂに形成されている。図示されるように、スロット１０４は差込ピンタイプの結合部を収容し、幅広部１０４ａと狭窄部１０４ｂとを含むことが望ましい。スロット１０４については後述する。
【００５２】
図１および２を参照すると、活性物質放射器１０６、発光チップ１０８、カラー１１０、２つのバッテリ１１２ａ、１１２ｂ、制御１１４（図５参照）は筐体１０２に配置されることが望ましい。バッテリ１１２ａ、１１２ｂは筐体１０２に対し着脱可能であり、必要に応じて取り外しおよび／または再充電できることが望ましい。図５に示されるように、制御１１４はプリント基板（ＰＣＢ）１１６、コントローラ１１８（ＡＳＩＣ、マイクロコントローラなど）、および装置１００を操作するためにバッテリ１１２ａ、１１２ｂ（図２）から供給される電力と結合されて作用する２つのスイッチ１２０、１３２を含むことが望ましい。
【００５３】
この実施形態では、活性物質放射器１０６は筐体１０２上の取付部に着脱可能に固定される交換可能な活性物質カートリッジ１０６ａであることが望ましい。活性物質カートリッジ１０６ａは受動的な活性物質放射器であることが望ましいが、当該技術で知られている任意の他の方法で活性物質を投与する任意の他のタイプの活性物質カートリッジも利用できる。より詳しくは、放散可能な活性物質はゲルまたは液体に含有され、経時的に空気中に放射されることが望ましい。活性物質はカートリッジ１０６ａ上に発生する空気流によって放射されるため、活性物質を空気中に放射するための電力は必要ない。なお、上述したように、活性物質の放射速度を高めるためファンまたは加熱器などの放射加速器を装置１００とともに利用してもよい。
【００５４】
図２および図６に示すように、カートリッジ１０６ａは略Ｕ字型の開口部１２６が形成された突出部１２４を含む。筐体カラム１０２ａには取付部として機能するポスト１２８（図４および図６参照）が配置され、あるいは一体形成されている。特に、カートリッジ１０６ａに形成される開口部１２６とポスト１２８は、ポスト１２８が開口部１２６内にスナップ係合し、活性物質カートリッジ１０６ａを筐体１０２に取り付けるように設計される。この実施形態では、カートリッジ１０６ａは筐体ベース１０２ｂに形成された開口部１２９（図２参照）を通じて筐体１０２に対し着脱される。開口部１２９は、詳細を後述するように、活性物質のカートリッジ１０６ａからの放散を補助すべく空気流がカートリッジ１０６ａの周囲を流れることを可能とする。カートリッジ１０６ａが装置１００に挿入されると、筐体カラム１０２ａから筐体ベース１０２ｂまで延出する支持ポスト１３１（図１、図２、図４参照）を有するガイド構造１３０がカートリッジ１０６ａをガイドし、カートリッジ１０６ａ上の開口部１２６を画定する壁がポスト１２８とスナップ係合するようにポスト１２８と係合させる。カートリッジ１０６ａに下方向の力が加わることで開口部１２６を画定する壁がポスト１２８から外れ、カートリッジ１０６ａを装置１００から取り外せる。カートリッジ１０６ａの特定の構成要素は後述する。
【００５５】
活性物質カートリッジ１０６ａを筐体１０２に対し着脱するための別の方法が考慮されている。例えば、カートリッジ１０６ａは筐体１０２の側部から着脱されてもよい。この場合Ｕ字型開口部１２６は不要となる。代わりにポスト１２８を収容する円形開口部を設ければ十分な場合もある。さらに、ポスト１２８および開口部１２６は全てに設けられなくてもよい。この場合、カートリッジ１０６ａの円形開口部は筐体１０２から突出するバーブド（ｂａｒｂｅｄ）ポストを収容してもよい。必要に応じて、筐体１０２とカートリッジ１０６ａとはカートリッジ１０６ａを筐体１０２に固定するために両者の間に干渉フィット部が形成されるように設計されてもよい。これらはあくまで例として示される。多数のカートリッジ取付部およびカートリッジ構成が考慮されており、当業者には周知である。交換可能な活性物質カートリッジを筐体に着脱可能に取り付ける任意の手段が考慮されている。活性物質放射装置はカートリッジ１０６ａとスナップ係合しカートリッジ１０６ａを保持するメカニズムを利用することが望ましい。
【００５６】
この実施形態のさらなる特徴として、活性物質カートリッジ１０６ａの存在を検出する手段が設けられる。例えば、装置１００は、活性物質カートリッジ１０６ａが装置１００に挿入された際にＬＥＤが発光するように制御されうる。図５および図７に示されるように、カートリッジ検出スイッチ１３２は筐体１０２に設けられ、カートリッジ検出スイッチ１３２はＰＣＢ１１６から外方向に延出する。カートリッジ検出スイッチ１３２は通常位置と起動位置との間で移動可能であり、カートリッジ検出スイッチ１３２が起動位置にあるときにだけＬＥＤが発光する。例えば、カートリッジ検出スイッチ１３２の通常位置はＰＣＢ１１６に対し９０度未満の角度をなしてもよい。起動位置はＰＣＢ１１６（図７）に直交してもよい。従って、活性物質カートリッジ１０６ａが筐体１０２に取り付けられる際、カートリッジ１０６ａの一部とポスト１２８がカートリッジ検出スイッチ１３２と接触し、スイッチ１３２を挿入方向に起動位置まで移動させ、カートリッジ検出スイッチ１３２を起動することが望ましい。この機械的スイッチはあくまで例として設けられる。当業者には活性物質カートリッジ１０６ａの存在を検出する他のタイプのスイッチおよび／またはセンサが同様に利用できることが明らかである。
【００５７】
図４および図５を参照すると、チップ１０８は筐体１０２の頂部１３４に配置され、中に光源１３６を配置していることが望ましい。２つのＬＥＤ１３８ａ、１３８ｂは上述したようにチップ１０８内で互いに上下に配置されていることが望ましい。ＬＥＤ１３８ａ、１３８ｂから発せられる光はチップ１０８により拡散され、チップ１０８を介して透過される。図２に示されるように、筐体１０２の頂部１３４に形成されたボア１４０内に配置されるチップ１０８は装置１００とは別体の構成要素である。チップ１０８は筐体１０２と一体形成されていてもよい。しかし、チップ１０８ａを別体の部品とすることで、チップ１０８を他の別の構成のチップ、または着色チップと交換できる。別体のチップ１０８は筐体１０２の材料とは異なる材料で形成されてもよい。チップ１０８はプラスチック、ガラス、ワックスなどのうち１種以上で形成されることが望ましい。さらに、チップ１０８は暗闇で光る材料や、ＬＥＤ１３８ａ、１３８ｂの消灯後しばらく発光する材料で形成されてもよい。
【００５８】
図４および図５に示されるように、ＬＥＤ１３８ａ、１３８ｂはそれぞれ延出するリード１３９ａ、１３９ｂを含む。リード１３９ａ、１３９ｂはＬＥＤ１３８ａ、１３８ｂから延出し、任意の既知の手段によりＰＣＢ１１６に取り付けられた、リード１３９ａとリード１３９ｂを相互に離間させるスペーサ装置１４１（図５参照）に入ることが望ましい。離間することでＬＥＤ１３８ａ、１３８ｂのショートを防ぎ、ＬＥＤ１３８ａ、１３８ｂの耐用期間を延長できる。
【００５９】
さらに図２、図４、図５に示されるように、カラー１１０が筐体１０２の頂部１３４に配置されることが望ましい。カラー１１０は別体の構成要素として示されているが、筐体１０２と一体形成されてもよい。カラー１１０は中央を軸方向に貫いて形成されるアパーチャ１４２（図２参照）を有し、チップ１０８の一部はアパーチャ１４２内に配置されることが望ましい。カラー１１０は筐体１０２に対し動かせることが望ましい。使用者はホームポジションからＬＥＤ１３８ａ、１３８ｂをオンおよびオフとすべくカラー１１０を動かすことが望ましい。例えば、図４、図５、図７に示すように、カラー１１０はカラー１１０から下方向に延出する１つ以上のタイン（ｔｉｎｅｓ）１４４と、各タイン１４４の遠位端から外方向に延出するリップ（ｌｉｐ）１４６とをを有していてもよい。ばね１４８は筐体１０２とタイン１４４内のカラー１１０との間にカラー１１０を筐体１０２から離れる方向に付勢すべく配置される。図２に示すように、複数のタイン収容ボア１５０（各タイン１４４に１つ）が筐体１０２の頂部１３４に形成され、各ボア１５０はショルダ１５２を含む。カラー１１０のタイン１４４はボア１５０内に収容され、各タイン１４４のリップ１４６はショルダ１５２に接触しカラー１１０の筐体１０２への取り付けを保持する。従って、カラー１１０がばね１４８の付勢に抗して下方向に起動されると、タイン１４４はボア１５０内を下方向に滑動する。カラー１１０上の圧力が解除されると、カラー１１０はばね１４８の付勢により通常位置すなわち静止位置に戻る。図６および図７に示されるように、好適にはオン／オフ・スイッチであるスイッチ１２０が、カラー１１０が動かされることでタイン１４４のうち１つがオン／オフ・スイッチ１２０のアクチュエータ・アームを動かし、ＬＥＤ１３８ａ、１３８ｂをオンまたはオフとするように、タイン１４４のうちの１つの下側に配置されることが望ましい。
【００６０】
図１に示され、この点において説明される装置１００は点滅光と活性物質を両方を放射する単一装置１００である。活性物質は芳香剤であることが望ましい。この装置１００はスタンドアロン装置１００としても使用できるが、図３、図４、図５に示すようにホルダ１６０とともに使用することが望ましい。
【００６１】
ホルダ１６０は内側シェル１６２と外側シェル１６４とを含むことが望ましい。内側シェル１６２は開放底端１６６と頂部を通じて中央に形成されるアパーチャ１６８とを含むことが望ましい。ホルダ１６０が単一装置１００上に下降されると、チップ１０８はアパーチャ１６８を通過し、内側シェル１６２の頂部の下側はカラー１１０に接触する。このように、ホルダ１６０は単一装置１００に対し回転可能であり、すなわち単一装置１００は内側シェル１６２（およびホルダ１６０の残りの部分）がカラー１１０上で回転する間、静止したままである。
【００６２】
図４に示されるように、１つ以上のフット１７０は内側シェル１６２の開放底端１６６から下方向に垂下する下方向に延出する脚部１７２から半径方向外側にに延出する。フット１７０はホルダ１６０が単一装置１００上に配置されたときに筐体ベース１０２ｂに形成されたスロット１０４の幅広部１０４ａを通過するがスロット１０４の狭窄部１０４ｂを通過しないサイズとなっている。なお、脚部１７２の厚みはスロット１０４の幅広部１０４ａと狭窄部１０４ｂの両方の幅より小さい。従って、ホルダ１６０はフット１７０がスロット１０４の幅広部１０４ａと位置合わせされたときのみ単一装置１００に対し着脱可能となっている。フット１７０と脚部１７２が位置合わせされスロット１０４の幅広部１０４ａを通じて挿入されると、内側シェル１６２と筐体ベース１０２ｂは相互に回転され、内側シェル１６２を筐体ベース１０２ｂに固定する。ホルダ１６０が単一装置１００上まで完全に下降すると、フット１７０は脚部１７２がスロット１０４内に配置されるように筐体ベース１０２ｂの下に位置する。この位置において、ホルダ１６０は単一装置１００との間で逆回転してもよい。回転はスロット１０４により制限される。
【００６３】
外側シェル１６４はＬＥＤ１３８ａ、１３８ｂから発せられる光が通過する材料で作製されることが望ましい。外側シェル１６４はガラスで作製されると説明しているが、外側シェル１６４は必要に応じてプラスチック、ワックスなどで作製できる。さらに、外側シェル１６４はＬＥＤ１３８ａ、１３８ｂから発せられる光を拡散させてもよい。この拡散はチップ１０８により行われる拡散に加えて行われてもよく、あるいはチップ１０８は発せられる光を拡散してもよく、（または含まれなくてもよく）、外側シェル１６４のみが光を拡散してもよい。外側シェル１６４は様々な色で作製でき、美的嗜好に応じて各種色、パターン、設計などを外側シェル１６４に形成してもよい。
【００６４】
図４、図５、図５Ａに示されるように、ホルダ１６０はスカート１６９の内側表面１６９ｂから内方向に延出する連続する突起１６９ａを有するスカート１６９をさらに含む。ホルダ１６０は、外側シェル１６４、内側シェル１６２、スカート１６９の結合を補助する任意の適切なエラストマまたは熱可塑性材料で作製される弾性取付構造１７１をさらに含むことが望ましい。図５Ａ〜図５Ｃを参照すると、取付構造はフット部１７１ａ、円形内縁フランジ１７１ｂ、連続する外側周縁弾性外側フランジ１７３を含むことが望ましい。
【００６５】
図５Ｂ〜図５Ｄは装置１００の組み立てを図示している。本願明細書で詳述したように内側シェル１６２は差込ピンタイプの結合により筐体ベース１０２ｂに取り付けられることが望ましい。次いで、図５Ａに示されるようにスカート１６９の内側を向いた突起１６９ａが筐体ベース１０２ｂの上に置かれるように、スカート１６９が図５Ｂに示されるように内側シェル１６２に挿入される。内側シェル１６２は内側シェル１６２の外側表面１６２ａ回りに配置される１つ以上の剛性突起１７５を有することが望ましい。図５Ａおよび図５Ｃに最も明確に示されているように、弾性取付構造１７１は、内縁フランジ１７１ｂが剛性突起１７５を越えて挿入されるように、内側シェル１６２の外側表面１６２ａ上に挿入され下方向にスライドされる。取付構造１７１は、取付構造１７１のフット部１７１ａがスカート１６９の突起１６９ａに当接して静止するよう、また取付構造１７１の内縁フランジ１７１ｂが突起１７５に当接するよう、凹部１７４内に配置される。この位置において、取付構造１７１のフット部１７１ａはスカート１６９が筐体ベース１０２ｂに抗して定位置に保持されるのを補助し、突起１７５、内縁フランジ１７１ｂ間の干渉により取付構造１７１が内側シェル１６２上に保持される。突起１７５は不連続として図示されているが、突起１７５は内側シェル１６２の外側表面１６２ａの回りに完全に延出する単一の環状ショルダであってもよい。
【００６６】
スカート１６９と取付構造１７１が内側シェル１６２上に挿入されると、図５Ｄに示されるように外側シェル１６４は内側シェル１６２上に挿入される。外側シェル１６４が挿入されると、外側周縁フランジ１７３は内側シェル１６２と外側シェル１６４の間に空隙を残して下方向に撓曲し、内側シェル１６２と外側シェル１６４の間に摩擦嵌めを形成する。望ましくはないものの、必要に応じて筐体ベース１０２ｂ（完全に組み付けられている場合）と外側シェル１６４を相互に引っ張り、摩擦嵌めを解除することにより外側シェル１６４を内側シェル１６２から手動で取り外すこともできる。外側周縁フランジ１７３は完全に、且つ取付構造１７１の外側表面１７１ｃ回りに連続的に延出し、あるいは１つ以上の部分の周りに不連続に延出してもよい。必要に応じて、周縁フランジは外側シェル１６４の内側面に連続して、もしくは不連続に配置されてもよく、内側シェル１６２の一部、または内側シェル１６２に固定された構造と係合し、同様の干渉フィット部を形成してもよい。さらに、必要に応じて、当該技術で知られている任意の他の既知の取付構造または手段も利用できる。
【００６７】
内側シェル１６２および外側シェル１６４は一体のホルダ１６０として形成されてもよく、あるいは製造後に組み付けられる個別構成要素であってもよい。さらに、ホルダ１６０のスカート１６９は純粋に装飾用であってもよいし、および／または内側シェル１６２および外側シェル１６４を固定する手段として利用されてもよい。当然ながら、ホルダ１６０が単一装置１００上に配置されているとき、内側シェル１６２の頂部は起動しうるカラー１１０と接触していることから、ホルダ１６０の下方向の起動によりカラー１１０の下方向の起動が起こり、上述の如くＬＥＤ１３８ａ、１３８ｂがオンおよびオフとされる。
【００６８】
図４および図５に示されるように、ホルダ１６０が単一装置１００上に配置されると、内側シェル１６２と筐体ベース１０２ｂが活性物質カートリッジ１０６ａ、バッテリ１１２ａ、１１２ｂ、制御１１４が配置される実質的に封入されたキャビティを画定する。チップ１０８は実質的に封入されたキャビティから上方向に延出し、内側シェル１６２の中央アパーチャ１６８を通過する。なお、上述の如く、好適な活性物質カートリッジ１０６ａは放散活性物質を空気中に放散するためにはその上を空気流が流れることを必要とする受動的な放散システムである。従って、空気流がキャビティを通り活性物質カートリッジ１０６ａの上を通過できるようにすることが必要である。この空気流は対流により発生されることが望ましい。特に、アパーチャは実質的に封入されたキャビティの頂部と底に形成される。例えば、各種ベントホール１７６ａ〜１７６ｇ（図１および図２参照）が筐体カラム１０２ａおよび筐体ベース１０２ｂに形成される。上述の如く、活性物質カートリッジ１０６ａが挿入・取り外しされるアパーチャ１２９は筐体ベース１０２ｂに形成される。さらに、図１および図２に示すように、空気の流れを可能とするカラーアパーチャ１８０がカラー１１０に形成され、ベントアパーチャ１８２（図３参照）が内側シェル１６２の頂部に形成される。従って、カラーアパーチャ１８０の一部がベントアパーチャ１８２の一部と位置合わせされると、周囲の環境と実質的に封入された内部キャビティとの間を空気が流れることのできる通路が形成される。当然ながら、これに加えて、単一装置１００に対してホルダ１６０を回転させ、すなわちスロット１０４内でホルダ１６０を回転させることにより、さらに多くのまたはさらに少ないカラーアパーチャ１８０を、上のベントアパーチャ１８２と対向させて露出することでカラーアパーチャ１８０およびベントアパーチャ１８２を通る空気流を制御する。この構成では、周囲空気は筐体ベース１０２ｂに形成されるアパーチャ１２９から装置１００に入り、装置１００を通ってカラーアパーチャ１８０およびベントアパーチャ１８２、ならびに他のベントホール１７６ａ〜１７６ｇから排出されることが望ましい。さらに、スクリーンの形態の有孔媒体１８４はカラー１００の下部に配置され、カラー１００に固定されることが望ましい。有孔媒体１８４は装置１００の構成要素を隠蔽すべく視覚的に遮蔽するものであることが望ましいが、媒体１８４およびカラーアパーチャ１８０を通る空気流の障害物を制限すべく極めて多い孔が形成されている。有孔媒体１８４はスパンボンデッドポリプロピレンで作製されることが望ましいが、任意の重合材料、金属、または任意の他の既知の有孔媒体、これらの組み合わせで作製されてもよい。必要に応じて、有孔媒体１８４はカラー１１０と一体的に成型されてもよい。有孔媒体１８４は装置１００の内部構成要素を隠蔽することで装置１００をより美しいものとすることが望ましい。有孔媒体１８４は単一の一体の有孔媒体１８４として示されているが、有孔媒体１８４は各カラーアパーチャ１８０の下部に配置される多数の部品から形成されてもよい。
【００６９】
この実施形態に変更を加えることができる。例えば別のパターンのアパーチャを設ける、アパーチャ数を増減する、および／またはアパーチャの大きさを変更するなどにより装置を通る空気流を変更できる。例えば、アパーチャは内側シェル１６２の頂部に設けられるベントアパーチャ１８２に加え、あるいはその代わりに、ホルダの内側シェル１６２側を通じて提供されてもよい。カラーアパーチャ１８０および／またはベントアパーチャ１８２の大きさは変更できる。
【００７０】
さらに、カラー１１０はＬＥＤ１３８ａ、１３８ｂをオンおよびオフとすべく筐体１０２に対し上下に移動されるものとして示されているが、カラー１１０はＬＥＤ１３８ａ、１３８ｂをオンおよびオフとすべく筐体１０２に対して回転可能であってもよい。必要に応じて、カラー１１０は全く動かないものであってもよく、装置ＬＥＤ１３８ａ、１３８ｂをオンおよびオフとすべく１つ以上のスイッチを装置の外側に設けてもよい。装置１００の制御照明特性に追加のスイッチが設けられてもよい。例えば、スイッチは異なるライトショー、または異なる色ＬＥＤ１３８ａ、１３８ｂ間を切り換えるために設けられてもよい。
【００７１】
本願明細書に記載された２つ以上の同一のまたは異なる活性物質放射装置が組み合わせ装置に組み込まれてもよい。例えば、図３に示される２つの活性物質放射装置を組み合わせ装置に組み込むことができる。第一の活性物質放射装置は第一の高さまたは他の寸法を有し、第二の活性物質放射装置は第一の高さまたは他の寸法よりも小さい第二の高さまたは他の寸法を有する。任意の組み合わせの高さを有する任意の数の活性物質放射装置を用いることで各種他の組み合わせの装置が形成できる。
【００７２】
活性物質カートリッジ
活性物質カートリッジ１０６ａは図８〜図１２Ａに詳細に示されている。活性物質カートリッジ１０６ａは第一および第二のフレーム部２０２ａ、２０２ｂを有するフレーム２００を含む。第一のフレーム部２０２ａは内部周縁から内方向に延出し、第一のフレーム部２０２ａを貫いて延出するアパーチャ２０４ａを形成する棚２０３ａを含む。第一のフレーム部２０２ａは、棚２０３ａの背面２０５ａから延出する円筒形ソケット２０６ａと、フレーム部２０２ａのフランジ２０９ａ（図１２参照）から内方向に延出する２つのタブ２０７ａとをさらに含む。さらに、突出部２０８ａが第一のフレーム部２０２ａの頂部２１０ａから上方向に延出する。同様に、第二のフレーム部２０２ｂは、内部周縁から内方向に延出し第二のフレーム部２０２ｂを貫くアパーチャ２０４ｂを形成する棚２０３ａを含む。第二のフレーム部２０２ｂは棚２０３ａの背面２０５ａから延出するピン２０６ｂと、フレーム部２０２ｂのフランジ２０９ｂ（図１２参照）から内方向に延出する２つのタブ２０７ｂとをさらに含む。さらに、突出部部２０８ｂは第二のフレーム部２０２ｂの頂部２１０ｂから上方向に延出する。
【００７３】
第一および第二のフレーム部２０２ａ、２０２ｂは、フレーム部２０２ａ、２０２ｂが一体型フレーム２００を形成し、突出部２０８ａ、２０８ｂが一体型突出部２０８を形成するように、任意の適切な方法で相互に固定される。第二のフレーム部２０２ｂのピン２０６ｂは第一のフレーム部２０２ａのソケット２０６ａ内に圧入される。必要に応じて、ポスト２０６ａ、２０６ｂは例えば、ヒートステーキング（ｈｅａｔｓｔａｋｉｎｇ）、リベット、圧入、スナップ係合、超音波溶接、接着剤、およびこれらの組み合わせを含む任意の他の適切な固定手段により固定されてもよい。
【００７４】
活性物質カートリッジ１０６ａは図８に示されるように少なくとも１つのリザーバ２１６ｂを有する活性物質リフィル２１４を含むが、図１０に示されるようにそれぞれ第一および第二の活性物質を入れた第一および第二のリザーバ２１６ａ、２１６ｂを含むことが望ましい。第一および第二の活性物質は同一であってもよく、必要に応じて異なっていてもよい。図９〜図１２Ａに示されるように、各リザーバ２１６ａ、２１６ｂは各リザーバ２１６ａ、２１６ｂを囲繞するリップ部２１７ａ、２１７ｂを含む。リップ部２１７ａ、２１７ｂは，貫通するアパーチャ２２１を有する結合部２２０によってそれぞれの頂部２１８ａ、２１８ｂに任意の適切な方法で相互に結合され一体のリフィル２１４を形成する。各リザーバ２１６ａ、２１６ｂはそれぞれ内側面２２２ａ、２２２ｂと外側表面２２４ａ、２２４ｂとを含む。リザーバ２１６ａ、２１６ｂの内側面２２２ａ、２２２ｂは相互に当接することが望ましいが、必要に応じて所望により相互にわずかに離間されてもよい。各リザーバ２１６ａ、２１６ｂの外側面２２４ａ、２２４ｂは、各リザーバ２１６ａ、２１６ｂの外側表面２２４ａ、２２４ｂ全体に固定される取り外せない蒸気透過性熱可塑性層２２６ａ、２２６ｂを含む。さらに、取り外し可能な蒸気不透過性フォイル層２２８ａ、２２８ｂがそれぞれの蒸気透過性シール層２２６ａ、２２６ｂの上に設けられてもよい。カートリッジ１０６ａが装置１００に挿入される前に、蒸気不透過性層２２８ａ、２２８ｂがリザーバ２１６ａ、２１６ｂから取り外され、蒸気透過性層２２６ａ、２２６ｂを露出させ、中の活性物質が蒸気透過性層２２６ａ、２２６ｂを通過して透過することを可能とすることが望ましい。このようなリザーバ２１６ａ、２１６ｂ、蒸気透過性層２２６ａ、２２６ｂ、および蒸気不透過性層２２８ａ、２２８ｂについては本願と同一出願人による、本願明細書に援用されるＭａｒｔｅｎｓ  ＩＩＩらの米国特許第４,８４９,６０６号に詳細な記載がある。
【００７５】
図８〜図１２Ａの活性物質カートリッジ１０６ａが組み立てられると、フレーム部２０８ａ、２０８ｂはそれぞれポスト２０６ａ、２０６ｂで結合され、リフィル２１４が、リザーバ２１６ａ、２１６ｂのリップ部２１７ａ、２１７ｂが、ＬＥＤ２０３ａ、２０３ｂとタブ２０７ａ、２０７ｂの間にそれぞれ保持されるように、フレーム部２０２ａ、２０２ｂ内に位置決めされる。リザーバ２１６ａ、２１６ｂは、底面２２２ａ、２２２ｂ、リザーバ２１６ａ、２１６ｂが上述したように相互に当接しあるいは相互にわずかに離間されるように、それぞれのアパーチャ２０４ａ、２０４ｂ内に延出する。必要に応じて、リザーバ２１６ａ、２１６ｂは接着剤などによりフレーム部２０２ａ、２０２ｂ内に取り付けることができる。または当該技術で知られている任意の他の取付手段が利用できる。
【００７６】
図１３に示されるように、カートリッジ１０６ａは必要に応じてフレーム２００の側部２３６ａ、２３６ｂに形成される第一および第二の移動止め２３４ａ、２３４ｂを含んでもよい。移動止め２３４ａ、２３４ｂが利用される場合、対向壁２３８ａ、２３８ｂを有する装置１００の筐体、カラム、シェル、または別の構成要素はカートリッジ１０６ａが装置１００に挿入される際に移動止め２３４ａ、２３４ｂと係合し、カートリッジ１０６ａを装置１００に保持する補助をなすべく延出するタブ２４０ａ、２４０ｂを含んでもよい。上述の如く図１〜図８の装置１００に対し、カートリッジ１０６ａは活性物質放射装置（図２の参照番号１２９）内の適切な形状の凹部内に挿入される。
【００７７】
本発明は図１４および図１５に示される第二実施形態の活性物質カートリッジ２５０を含んでいてもよい。カートリッジ２５０は図１〜図７に関連して説明した活性物質放射装置１００または活性物質放射装置の任意の他の実施形態の変更されたバージョンとともに利用できる。カートリッジ２５０はフレーム２５２とリフィル２５４とを含み、フレーム２５２はベース部２５６の頂面２６０から延出する第一および第二のポスト２５８ａ、２５８ｂを有するベース部２５６と、ベース部２５６の底面２６３から延出するハンドル２６２とを含む。結合ポスト２６５はポスト２５８ａ、２５８ｂ一体形成され、ポスト２５８ａ、２５８ｂの間から延出する。結合ポスト２６５はベース部２５６から離間されることが望ましい。リフィル２５４は図８〜図１３の実施形態のリフィル２１４と同様であり、活性物質を入れた第一および第二のリザーバ２６４ａ、２６４ｂを含む。リップ部２６５ａ、２６５ｂは各リザーバ２６４ａ、２６４ｂを囲繞し、リップ部２６５ａ、２６５ｂは結合部２６８によってそれぞれの頂部２６６ａ、２６６ｂで相互に結合されている。各リザーバ２６４ａ、２６４ｂは底面２７０ａ、２７０ｂと頂面２７２ａ、２７２ｂとをそれぞれ含み、底面２７０ａ、２７０ｂは必須要件ではないが、相互にわずかに離間されることが望ましい。図８〜図１３の実施形態に関して詳述したように、各頂面２７２ａ、２７２ｂは取り外せない蒸気透過性シール層２７４ａ、２７４ｂと、それぞれ蒸気透過性シール層２７４ａ、２７４ｂの上に配置される取り外し可能な蒸気不透過性層２７６ａ、２７６ｂとを含む。
【００７８】
図１４および図１５の実施形態が組み立てられると、リフィル２５４は、リフィル２５４の結合部２６８がフレーム２５２の結合ポスト２６５と当接し、ポスト２５８ａ、２５８ｂがリザーバ２６４ａ、２６４ｂの底面２７０ａ、２７０ｂの間に配置されるように、フレーム２５２上に挿入される。１つ以上のポスト２５８ａ、２５８ｂはカートリッジ２５０の組み立ての際に結合部２６８を超えて延出することが望ましい。各リザーバ２６４ａ、２６４ｂを囲繞するリップ部２６５ａ、２６５ｂはヒートステーキングされたポスト２８０ａ、２８０ｂによってフレーム２５２のベース部２５６に結合される。必要に応じて溶接、圧入、接着剤、あるいはこれらの組み合わせを含む任意の他の既知の固定手段が利用できる。カートリッジ２５０は製造時に組み立てられることが望ましい。
【００７９】
図１４および図１５に図示されるように、カートリッジ２５０は、好適にはカートリッジ２５０のハンドル２６２を把持して図１の〜図７の装置１００などの活性物質放射装置の適切な形状の凹部に挿入されてもよい。また、カートリッジ２５０は活性物質放射装置１００の底部から挿入されることが望ましいが、装置１００の頂部や側部から挿入されてもよい。カートリッジ２５０が装置１００に挿入される際、リフィル２５４の結合部２６８を超えて延出する１つ以上のポスト２５８ａ、２５８ｂが、図１５に示すように装置１００に配置されたスイッチ２７０のアクチュエータ・アーム２６９を押下もしくは起動し、カートリッジ２５０が装置１００に挿入されたことを警告してもよい。当該技術で知られている任意のタイプのスイッチ２７０を利用できる。
【００８０】
第三実施形態の活性物質カートリッジ３００は図１６および図１７に示されている。カートリッジ３００は図１４および図１５に示された実施形態のカートリッジ２５０と同様である。カートリッジ３００はフレーム３０２とリフィル３０４とを含み、フレーム３０２はベース部３０６の頂面３１０から延出する第一および第二のポスト３０８ａ、３０８ｂを有するベース部３０６を含む。１つ以上のポスト３０８ａ、３０８ｂはポスト３０８ａ、３０８ｂから延出するタブ３１１を含む。タブ３１１はカートリッジ３００の装置内での固定を補助すべく活性物質放射装置内でスナップ係合により移動止めを行う。結合ポスト３１２はポスト３０８ａ、３０８ｂと一体形成され、頂部近傍でポスト３０８ａ、３０８ｂ間に延出することが望ましい。これによりポスト３０８ａ、３０８ｂおよび結合ポスト３１２により画定されるフレーム３０２内にアパーチャ３１３が形成される。ハンドル３１４はベース部３０６の底面３１６から延出し、使用者はカートリッジ３００をガイドすべくハンドル３１４を把持してもよい。リフィル３０４は図１４および図１５の実施形態のリフィル２５４と同様であり、活性物質を入れた第一および第二のリザーバ３２０ａ、３２０ｂを含む。各リザーバ３２０ａ、３２０ｂは各リザーバ３２０ａ、３２０ｂを囲繞するリップ部３２１ａ、３２１ｂを含む。リップ部３２１ａ、３２１ｂは頂部３２２ａ、３３２ｂにおいて結合部３２４によって相互に結合されている。各リザーバ３２０ａ、３２０ｂは、底面３２６ａ、３２６ｂと頂面３２８ａ、３２８ｂとをそれぞれ含む。底面３２６ａ、３２６ｂは、必須要件ではないが、カートリッジ３００の組み立ての際に相互にわずかに離間されることが望ましい。前出の実施形態と同様に、頂面３２８ａ、３２８ｂはそれぞれ取り外せない蒸気透過性シール層３３０ａ、３３０ｂと、蒸気透過性シール層３３０ａ、３３０ｂの上にそれぞれ配置される取り外し可能な蒸気不透過性層３３２ａ、３３２ｂとを含む。
【００８１】
図１６を参照すると、カートリッジ３００はリフィル３０４の結合部３２４をフレーム３０２の結合ポスト３１２上に挿入し、リザーバ３２０ａ、３２０ｂの底面３２６ａ、３２６ｂがそれぞれ相互に接触し、あるいは相互にわずかに離間されるようにリザーバ３２０ａ、３２０ｂをアパーチャ３１３内に位置決めすることにより組み立てられる。リップ部３２１ａ、３２１ｂはポスト３０８ａ、３０８ｂと当接することが望ましい。リップ部３３４ａ、３３４ｂはベース部３０６に隣接するヒートステーキングされたポスト３３６ａ、３３６ｂによってポスト３０８ａ、３０８ｂに結合されることが望ましく、必要に応じて、当該技術で知られている溶接、圧入、接着剤、あるいはこれらの組み合わせを含む任意の他の手段により結合されてもよい。さらに、組み付けられると、１つ以上のポスト３０８ａ、３０８ｂはリフィル３０４の結合部３２４を超えて延出することが望ましい。また、必須要件ではないが、カートリッジ３００は製造時に組み立てられることが望ましい。
【００８２】
図１６および図１７のカートリッジ３００は、ハンドル３１４を把持して図１〜図７の装置１００などの活性物質放射装置の適切な形状の凹部に挿入される。カートリッジ３００は装置１００の底部から挿入されることが望ましいが、頂部や側部から挿入されてもよい。カートリッジ３００が装置１００に挿入される際、結合部３２４を超えて延出する１つ以上のポスト３０８ａ、３０８ｂがスイッチ３３８のアクチュエータ・アーム３３７を起動しカートリッジ３００が装置１００に挿入されたことを表示してもよい。
【００８３】
図１８および図１９に、第四の実施形態の活性物質カートリッジ３５０が図示されている。カートリッジ３５０は上方向に延出するフレーム３５４を有するベース部３５２を含む。フレーム３５４は第一の側３５７ａおよび第二の側３５７ｂに配置されるフレーム３５４内に配置される活性物質の第一および第二のリザーバ３５６ａ、３５６ｂを含む。リザーバ３５６ａ、３５６ｂは図８〜図１３の実施形態に関して詳述したリザーバ２１６ａ、２１６ｂと同様である。フレーム３５４はベース部３５２からフレーム３５４の頂部３６０にかけてフレーム３５４内を延出する円筒形ポスト３５８をさらに含む。突起３６２は円筒形ポスト３５８の第一端３６３と一体形成され、フレーム３５４の頂部３６０の上に配置される。回転タブ３６４は円筒形ポスト３５８の第二端３６６と一体形成され、ベース部３５２の底面３６８から延出する。必要に応じて、本願明細書に開示される任意の実施形態と同様に、図１８および図１９のカートリッジ３５０は活性物質を入れた単一のリザーバ３５６ａ、３５６ｂのみを含んでいてもよい。
【００８４】
図１８および図１９のカートリッジ３５０は、使用される際、図１〜図７の装置１００などの活性物質放射装置の適切な形状の凹部に挿入されてもよい。カートリッジ３５０が装置１００に挿入されると、タブ３６４は矢印３６９（図１８参照）の方向に回転されることができ、円筒形ポスト３５８および突起３６２を回転させる。突起３６２の一部に配置された突起３６２とスロット３７０が回転すると、スロット３７０を画定する壁が活性物質放射装置１００の壁３７２または他の構造と係合し、カートリッジ３５０を定位置に固定する。次いで、カートリッジ３５０を装置１００から取り外したい場合、タブ３６４は矢印３６９と反対の方向に逆回転され、スロット３７０を画定する壁を移動させて装置１００の構造から係合解除され、カートリッジ３５０が装置１００から取り出せるようになる。必要に応じて、タブ３６４は最初にカートリッジ３５０を定位置に固定すべく矢印３６９と反対の方向に回転されてもよい。
【００８５】
本発明は図２０、図２０Ａ、図２０Ｂ、図２１に示すような第五実施形態の活性物質カートリッジ４００を含んでいてもよい。カートリッジ４００は第一および第二の対向側部４０４ａ、４０４ｂ、頂部４０６、および底部４０８を備えるフレーム４０２を含む。活性物質を入れた第一および／または第二のリザーバ４１０ａ、４１０ｂはａカートリッジ４００の前部４１２および／または後部４１４に配置されてもよい。リザーバ４１０ａ、４１０ｂは図８〜図１３の実施形態について詳述したリザーバ２１６ａ、２１６ｂと同様である。カートリッジ４００はそれぞれ側部４０４ａ、４０４ｂに配置された第一および第二の弾性フィンガー４１６ａ、４１６ｂを含むことが望ましい。また、突出部４１８がカートリッジ４００の頂部４０６から延出することが望ましい。
【００８６】
図２０Ａおよび図２１に示されるように、カートリッジ４００は活性物質放射装置４２０と組み合わせて利用できる。活性物質装置４２０は活性物質装置４２０と一体形成されるとともに、上方向に延出する本体部４２４を有するベース部４２２を含む。本体部４２４（または装置４２０の任意の他の構成要素）は外方向に延出する第一および第二のタブ４２６ａ、４２６ｂを含むことが望ましい。また、頂部壁４２８（または装置４２０の任意の他の構成要素）は下方向に延出するアクチュエータ・アーム４３０を有するスイッチ４２９を含むことが望ましい。カートリッジ４００を装置４２０に挿入する前に、金属フォイルセクション４３１ａ、４３１ｂがリザーバ２１６ａ、２１６ｂ（図２０Ａに示されるように）から除去され、活性物質を放射可能とする。次いで、ベース部４２２における適切なサイズのアパーチャ４３２を通してカートリッジ４００が装置４２０に挿入される。カートリッジ４００が挿入されると、装置４２０の本体部４２４から延出するタブ４２６ａ、４２６ｂが弾性フィンガー４１６ａ、４１６ｂとそれぞれ係合し、これにより弾性フィンガー４１６ａ、４１６ｂがヒンジ４３３ａ、４３３ｂ回りに内側に撓曲し、カートリッジ４００を装置４２０内に保持する。さらに、カートリッジ４００が挿入されると、カートリッジ４００の頂部４０６から延出する突出部４１８がアクチュエータ・アーム４３０を押圧し、カートリッジ４００が挿入されたことを装置４２０に対し表示する。
【００８７】
第六実施形態の活性物質カートリッジ４５０が図２２〜図２４に図示されている。活性物質カートリッジ４５０はスロット形アパーチャ４５４を有する円形中央ベース部４５２を含む。各スロット形アパーチャ４５４は差込ピンタイプの結合を収容し、狭窄部４５４ａと幅広部４５４ｂとを含むことが望ましい。アパーチャ４５４はベース部４５２の隣接するエッジ４５６から相互に離間されている。ベース部４５２は中央４５９に配置された２つのベントホール４５８ａ、４５８ｂをさらに含む。活性物質を入れた第一および第二のリザーバ４６１ａ、４６１ｂを囲繞する第一および第二のリップ部４６０ａ、４６０ｂはそれぞれ第一および第二の結合部４６２ａ、４６２ｂによってベース部４５２に結合される。リザーバ４６０ａ、４６０ｂは図８〜図１３の実施形態について詳述したリザーバ２１６ａ、２１６ｂと同様もしくは同一である。
【００８８】
図２２〜図２４のカートリッジ４５０は半径方向外側に延出するフット４６８を有する任意の数の下方向に延出する脚部４６６を有する活性物質放射装置４６４とともに使用される。装置４６４は第一および第二の側４７２ａ、４７２ｂのそれぞれ上に第一および第二のスロット４７０ａ、４７０ｂをさらに含む。カートリッジ４５０が装置４６４に挿入されると脚部４６６およびフット４６８がアパーチャ４５４の幅広部４５４ｂを通じて挿入され、（図１〜図７に詳述したように）装置４６４とカートリッジ４５０とが相互に回転され、装置４６４をカートリッジ４５０に固定する。脚部４６６とフット４６８がベース部４５２に係合すると、リザーバ４６０ａ、４６０ｂがスロット４７０ａ、４７０ｂ（図２４参照）に挿入され、リザーバ４６０ａ、４６０ｂを定位置に固定する。リザーバ４６０ａ、４６０ｂを装置４６４に固定する手段としてスロット４７０ａ、４７０ｂが示されているが、任意の固定手段が利用できる。
【００８９】
第七実施形態の活性物質カートリッジ５００が図２５〜図２７に示されている。活性物質カートリッジ５００は中央アパーチャ５０４が形成され、周囲に任意の数のベントホール５０６が配置された円形中央ベント部５０２を含む。ベントホール５０６は任意の形状またはサイズとすることができ、ベント部５０２の任意の位置に配置できる。活性物質を入れた第一および第二のリザーバ５０８ａ、５０８ｂを囲繞する第一および第二のリップ部５０７ａ、５０７ｂはベント部５０２の反対側５１０ａ、５１０ｂに接続され、リザーバ５０８ａ、５０８ｂとベント部５０２の側５１０ａ、５１０ｂの間の接続は弾性接続である（ｆｌｅｘｉｂｌｅ）。リザーバ５０８ａ、５０８ｂは図８〜図１３の実施形態について詳述したリザーバ２１６ａ、２１６ｂと同様もしくは同一である。
【００９０】
図２７に示されるように、カートリッジ５００は第一の側および第二の側５１４ａ、５１４ｂにそれぞれ第一および第二のスロット５１３ａ、５１３ｂを有する活性物質放射装置５１２に挿入されてもよい。また、装置５１２は頂部５１６に光放射器５１５を含むことが望ましい。カートリッジ５００が装置５１２に挿入されると、カートリッジ５００がリップ部５０７ａ、５０７ｂとベント部５０２の側５１０ａ、５１０ｂとの間の結合部において撓曲する。次いで、リザーバ５０８ａ、５０８ｂは、ベント部５０２が装置５１２の頂部５１６と当接し、光放射器５１５が中央アパーチャ５０４を通って延出するように、スロット５１３ａ、５１３ｂ内に挿入される。カートリッジ５００のベントホール５０６は頂部５１６のベントホールと位置合わせされ、活性物質の放射が装置５１２全体を循環することを可能とすることが望ましい。リザーバ５０８ａ、５０８ｂを装置５１２に保持する手段としてスロット５１３ａ、５１３ｂが示されているが、リザーバ５０８ａ、５０８ｂを装置５１２に保持するための任意の手段が利用できる。
【００９１】
本発明は図２５〜図２７のカートリッジ５００と同様の、図２８に図示される第八実施形態の活性物質カートリッジ５５０を含んでいてもよい。活性物質カートリッジ５５０は中央アパーチャ５５４が形成され、周囲に任意の数のベントホール５５６が配置された円形中央ベント部５５２を含む。ベントホール５５６は任意のサイズまたは形状としてよく、ベント部５５２の任意の適切な位置に配置できる。活性物質を入れた第一および第二のリザーバ５５８ａ、５５８ｂを囲繞する第一および第二のリップ部５５７ａ、５５７ｂは、弾性結合部５６２ａ、５６２ｂによりベント部５５２の反対側５６０ａ、５６０ｂに結合される。必須要件ではないが、結合部５６２ａ、５６２ｂはさらに１つ以上のベントホール５６４ａ、５６４ｂを有していることが望ましい。リザーバ５５８ａ、５５８ｂは図８〜図１３の実施形態について詳述されたリザーバ２１６ａ、２１６ｂと同様である。活性物質カートリッジ５５０は図２７に示され説明される活性物質放射装置５１２に挿入されることが望ましい。
【００９２】
図２９は第九実施形態の活性物質カートリッジ６００を図示している。カートリッジ６００は１つ以上の湾曲したスロット６０４を有するベース部６０２を含む。各スロット６０４は差込ピンタイプの結合を収容し、幅広部６０４ａおよび狭窄部６０４ｂを含むことが望ましい。ベース部６０２はさらに頂面６０８から延出する支持構造６０６を含む。支持構造６０６は側部６１０ａ、６１０ｂをつなぐ１つ以上の結合部６１２ａ、６１２ｂを有する第一および第二の傾斜した側部６１０ａ、６１０ｂを含む。支持構造６０６は、空気通路６１４がカートリッジ６００の中央部６１６を通って延在するように、ベース部６０２上に配置されることが望ましい。カートリッジ６００はさらに活性物質を入れた第一および第二のリザーバ６１８ａ、６１８ｂ含む。図８〜図１３の実施形態について詳述したように、リザーバ６１８ａ、６１８ｂが第一および第二の側部６１０ａ、６１０ｂ。に取り付けられる。リザーバ６１８ａ、６１８ｂは任意の既知の方式にて側部６１０ａ、６１０ｂに取り付けられてもよい。
【００９３】
さらに図２９に示されるように、カートリッジ６００は活性物質放射装置６２２の底部６２０を通じて挿入されることが望ましい。装置６２２は底部６２０から延出する２つ以上の下方向に延出する脚部６２４を含み、脚部６２４は半径方向外側に延出するフット６２６を含む。カートリッジ６００が底部６２０に挿入されると、脚部６２４およびフット６２６がスロット６０４の幅広部６０４ａを通じて挿入され、（図１の〜図７の装置について詳述したように）装置６２２とカートリッジ６００とが相互に回転され、カートリッジ６００を装置６２２に固定する。必要に応じて、装置６２２は揮発された活性物質を循環させるための任意の数のベントホールを含んでいてもよい。
【００９４】
本発明は、図３０および図３１に示すように第十実施形態のカートリッジ６５０を含んでいてもよい。カートリッジ６５０は活性物質を入れた第一および第二のリザーバ６５２ａ、６５２ｂを含み、各リザーバ６５２ａ、６５２ｂは各リザーバ６５２ａ、６５２ｂを囲繞するリップ部６５４ａ、６５４ｂを含む。リザーバは図８〜図１３の実施形態について詳述したようにリザーバ２１６ａ、２１６ｂと同様または同一のものである。リップ部６５４ａ、６５４ｂは頂部６５６ａ、６５６ｂにおいて結合部６５８により結合される。結合部６５８は下面６６２から延出する、下方向に突出する弾性カラー６６０を含む。リザーバ６５２ａ、６５２ｂは相互に反対側を向いた底面６６４ａ、６６４ｂを有するものとして説明されているが、カートリッジ６５０は、底面６６４ａ、６６４ｂが必要に応じて相互に対向するように変更されてもよい。
【００９５】
カートリッジ６５０は、図３１に示されるように活性物質放射装置６６６に挿入されてもよい。装置６６６は一般的に第一および第二の直立壁６７０ａ、６７０ｂと、直立壁６７０ａ、６７０ｂを接続する頂部壁６７２とを有するベース部６６８を含む。突起要素６７４が頂部壁６７２に取り付けられ、頂部壁６７２から延出する。突起要素６７４は装置６６６の頂部壁６７２とは別体の要素として示されているが、突起要素６７４は頂部壁６７２と一体形成され、頂部壁６７２から下方向に延出してもよい。カートリッジ６５０は、リップ部６５４ａ、６５４ｂを把持・押圧し、突起要素６７４が結合部６５８のカラー６６０内に延在し突起要素６７４のショルダ６７５にカラー６６０の下部リップ６７６が係合し、カートリッジ６５０を装置６６６に保持するように、アパーチャを通じて結合部６５８を十分に奥まで挿入することによりベース部６６８のアパーチャ６７３を通じて装置６６６に挿入される。次いで、リップ部６５４ａ、６５４ｂが解除され、リップ部６５４が装置６６６の壁６７０ａ、６７０ｂに抗して外方向に撓曲してもよい。当然ながら、アパーチャ６７３はカートリッジ６５０の結合部６５８を収容できる大きさであればよい。使用者はカートリッジ６５０のリップ部６５４ａ、６５４ｂを把持し、これを相互の方向に移動させ、カートリッジ６５０が下方向に移動しアパーチャ６７３から出るように、カートリッジ６５０下方向に引っ張り、突起要素６７４のカラー６６０との係合を解除することでカートリッジ６５０を装置６６６から取り外すことができる。
【００９６】
図３２、図３３、図３３Ａに、第十一実施形態のカートリッジ７００が図示されている。カートリッジ７００は活性物質を入れた第一および第二のリザーバ７０２ａ、７０２ｂを含む。各リザーバ７０２ａ、７０２ｂは、活性物質の比較的狭いセクション７０６ａ、７０６ｂにより結合された活性物質の第一の比較的広いセクション７０４ａ、７０４ｂと、第二の比較的広いセクション７０５ａ、７０５ｂとを含む。さらに、各リザーバ７０２ａ、７０２ｂはそれぞれリップ部７０８ａ、７０８ｂで囲繞され、各リップ部７０８ａ、７０８ｂは第一の側７１０ａ、７１０ｂと、第一の側７１０ａ、７１０ｂに対向する第二の側７１２ａ、７１２ｂとを含む。弾性結合部７１６ａ、７１６ｂはリップ部の第一の側７１０ａ、７１０ｂに結合されることが望ましい。必要に応じて、第一の側７１０ａ、７１０ｂにわたる単一の結合部または２つ以上の結合部が利用できる。必須要件ではないが、各リップ部７０８ａ、７０８ｂの第二の側７１２ａ、７１２ｂは２つの湾曲した切欠き部７２０ａ、７２０ｂを含むことが望ましい。図３３に示されるように、カートリッジ７００は、リザーバ７０２ａ、７０２ｂの底面７２２ａ、７２２ｂが接触しあるいは相互にわずかに離間されるように、第一および第二のリザーバ７０２ａ、７０２ｂを相互に向けて結合部７１６ａ、７１６ｂ回りに折り畳むことにより活性物質放射装置内に挿入されてもよい。次いで、カートリッジ７００は適切な装置に挿入されてもよい。切欠き部７２０ａ、７２０ｂは図３３Ａに示されるように装置に給電するためのバッテリ７２２ａ、７２２ｂを囲繞してもよい。
【００９７】
本発明は、図３４および図３５に図示される第十二実施形態のカートリッジ７５０を含んでいてもよい。カートリッジ７５０は活性物質を入れた第一および第二のリザーバ７５２ａ、７５２ｂを含み、リザーバ７５２ａ、７５２ｂは各リザーバ７５２ａ、７５２ｂを囲繞する第一および第二のリップ部７５４ａ、７５４ｂを含む。第一および第二のリップ部７５４ａ、７５４ｂは第一の側７５６ａ、７５６ｂと第二の対向側７５８ａ、７５８ｂを含み、第一のリップ部７５４ａの第二の側７５８ａは結合部７５７によって第二のリップ部７５４ｂ第一の側７５６ｂに結合されている。さらに、第一の取付部７６０ａは第一のリップ部７５４ａの第一の側７５６ａから延出するとともに第一のアパーチャ７５９ａを含み、第二の取付部７６０ｂは第二のリップ部７５４ｂの第二の側７５８ｂから延出するとともに第二のアパーチャ７５９ｂを含む。必要に応じて、第三のアパーチャ７５９ｃが結合部７５６に設けられてもよい。
【００９８】
図３５に示されるようにカートリッジ７５０は活性物質放射装置７６１に取り付けられることが望ましい。装置７６１は第一、第二、第三、第四の側壁パネル７６２ａ〜７６２ｄを含むことが望ましい。第一および第二の壁パネル７６２ａ、７６２ｂはそれぞれ延出するアンカ７６４ａ、７６４ｂを含む。各アンカ７６４ａ、７６４ｂは壁パネル７６２ａ、７６２ｂにそれぞれ垂直な第一部分７６５ａ、７６５ｂと、第一部分７６５ａ、７６５ｂにそれぞれ直交し、上方向に延出する第二部分７６６ａ、７６６ｂを含む。必要に応じて、当該技術で知られている任意のアンカ７６４が利用できる。
【００９９】
使用の際、カートリッジ７５０は、アンカ７６４ａ、７６４ｂがアパーチャ７５９ａ、７５９ｂを通じて延出し、リザーバ７５２ａ、７５２ｂを第三および第四の壁パネル７６２ｃ、７６２ｄに巻き付け、他方のアパーチャ７５９ａ、７５９ｂをそれぞれのアンカ７６４ａ、７６４ｂに係止しカートリッジ７５０を装置７６１に固定するようにカートリッジを位置決めすることで装置７６１に取り付けられる。必要に応じて、第三のアパーチャ７５９ｃをその上に固定するために１つ以上の追加のアンカ７６４が第三のおよび／または第四の壁パネル７６２ｃ、７６２ｄ上に配置されてもよい。図３４および図３５の実施形態は活性物質を入れた２つのリザーバ７５２ａ、７５２ｂを示しているが、このような実施形態は任意の数のリザーバ７５２を用いてよい。
【０１００】
第十三実施形態の活性物質カートリッジ８００が図３６および図３７に示されている。カートリッジ８００は中空円筒形ベース部８０２を含む。ベース部８０２は活性物質を入れた１つ以上のリザーバ８０６を含み、リザーバ８０６はベース部８０２から離間され、ベース部８０２と一体形成されあるいは別体として形成されている。リザーバ８０６は図８〜図１３の実施形態について詳述したリザーバ２１６ａ、２１６ｂと同様または同一のものである。第一および第二のタブ８０８ａ、８０８ｂはベース部８０２の底部８１０から延出する。ベース部８０２は連続していても不連続であってもよい。ベース部８０２が不連続である場合、ベース部８０２の少なくとも第一および第二のエッジ８１４ａ、８１４ｂは部分８１５において溶接あるいは本願明細書に記載した適切な手段で結合される。ベース部８０２が２つ以上のセクションまたは部分を含む場合、セクションまたは部分のエッジは溶接されまたは本願明細書に記載した任意の適切な手段により相互に固定される。
【０１０１】
カートリッジ８００は図３６に示される活性物質放射装置８１６とともに用いることができる。装置８１６は必要に応じて周縁８２０回りに離間された長尺ベントホール８１８を含み、ベントホール８１８の数は（必須要件ではないが）リザーバ８０６の数と同じであることが望ましい。一変形例では、カートリッジ８００は、空気が装置８１６内を流れることを可能とすべく間に十分な空間を設けてリザーバ８０６がベントホール８１８と位置合わせされるように、装置８１６上に挿入されてもよい。別の変更例では、図３７に示されるように、カートリッジ８００は、リザーバ８０６が装置８１６の内側からベントホール８１８を通って延出し、従ってリザーバ８０６の外側面８２１とベントホール８１８を画定する壁との間に干渉を形成するように、装置８１６内に挿入される。いずれの場合でも、カートリッジ８００はカートリッジ８００の装置８１６への取り付けを補助すべく第一および第二のタブ８０８ａ、８０８ｂによって把持されてもよい。
【０１０２】
第十四実施形態の活性物質カートリッジ８５０が図３８および図３９に示されている。活性物質カートリッジ８５０は活性物質を入れた第一および第二のリザーバ８５２ａ、８５２ｂを含み、各リザーバ８５２ａ、８５２ｂは各リザーバ８５２ａ、８５２ｂを囲繞するリップ部８５４ａ、８５４ｂを含む。リザーバ８５２ａ、８５２ｂは図８〜図１３の実施形態について詳述したリザーバ２１６ａ、２１６ｂとと同様または同一のものである。必須要件ではないが、リザーバ８５２ａ、８５２ｂは相互に対向する内側面８５５ａ、８５５ｂを有することが望ましい。リップ部８５４ａ、８５４ｂは底部８５６ａ、８５６ｂにおいて結合部８５８により結合されている。必要に応じて、結合部８５８は結合部８５８の頂面８６２から延出する少なくとも１つの直立突起８６０を含んでいてもよい。各突起８６０は反対側から延出する外方向に延出するショルダ８６１ａ、８６１ｂを含んでいてもよい。
【０１０３】
カートリッジ８５０は活性物質放射装置８６６に挿入されてもよい。装置８６６はベース部８６８と、ベース部８６８と一体形成されベース部８６８から上方向に延出する本体部８７０とを含む。装置８６６はベース部８６８に第一のアパーチャ８７２ａを有し、本体部８７０のアパーチャ８７２ａに隣接するスロット８７４ａを有することが望ましい。アパーチャ８７２ａおよびスロット８７４ａは装置８６６の第一の側８７１ａに配置される。アパーチャ８７２ｂおよびスロット８７４ｂは装置８６６の第二の側８７１ｂに配置されるアパーチャ８７２ａおよびスロット８７４ａと同一である。カートリッジ８５０は、リザーバ８５２ａ、８５２ｂがそれぞれのアパーチャ８７２ａ、８７２ｂを通り、それぞれのスロット８７４ａ、８７４ｂ内へ挿入されるように、装置８６６に挿入される。カートリッジ８５０が装置８６６に挿入されると、突起８６０はベース部８６８のアパーチャ８７６を通じて挿入され、ショルダ８６１ａ、８６１ｂがベース部８６８の頂面８７８と干渉してカートリッジ８５０をその中に保持する。必要に応じてカートリッジ８５０を装置８６６内に保持するためにショルダ８６１ａ、８６１ｂに加えて、あるいはショルダ８６１ａ、８６１ｂの代わりに他の干渉が利用できる。
【０１０４】
カートリッジ８５０が突起８６０を含む場合、アクチュエータ・アーム８８１（図３８参照）を備えるスイッチ８８０が装置８６６に配置されていてもよく、ベース部８６８の頂面８７８に取り付けられることが望ましい。アクチュエータ・アーム８８１が突起８６０により移動されると、装置８６８がオンとなり、または任意の機能を実行してもよい。
【０１０５】
本発明は図４０および図４１に示される第十五実施形態の活性物質カートリッジ９００を含んでいてもよい。カートリッジ９００は活性物質を入れたリザーバ９０２を含み、リザーバ９０２はリザーバ９０２を囲繞するリップ部９０４を含む。リップ部９０４は頂部９０６と底部９０８を有し、図示される実施形態では頂部９０６はその中に略Ｔ字型アパーチャ９１０を含む。アパーチャ９１０は任意の形状またはサイズを有してよい。頂部９０６はリップ部９０４から外方向に延出する突起９１２の形態のアクチュエータ部をさらに含んでもよい。
【０１０６】
カートリッジ９００は活性物質放射装置９１６に配置されてもよく、装置９１６はベース部９１８と、ベース部９１８と一体形成され、上方向に延出する本体部９２０（ｂｏｄｙ  ｐｏｒｔｉｏｎ）とを含む。本体部９２０はアパーチャ９１０の少なくとも一部の形状と相補的な形状を有する第一の突出部９２２と、上方向に突出するリップ９２５を備える棚９２４とを含む。棚９２４はカートリッジ９００のリップ部９０４の底エッジ９２７の形状と相補的な形状を有することが望ましい。カートリッジ９００は、リップ部９０４の底部９０８がリップ９２５の後方で棚９２４上に静止し、次いでカートリッジ９００がアパーチャ９１０の少なくとも一部を画定する壁が第一の突出部９２２により係合され定位置に固定されるまで装置９１６に向かって回動するように位置決めされる。装置９１６は延出するアクチュエータ・アーム９２６を有するスイッチをさらに含んでもよい。アパーチャ９１０を画定するスイッチが第一の突出部９２２と係合すると、突起９１２はスイッチ９２６を上方向にカム動作させ、カートリッジ９００が装置９１６に係合したことを表示しおよび／または他の動作を誘発する。図４１に示されるように、装置９１６は必要に応じて設けられる、カートリッジ９００と同様の第二のカートリッジ９３２を収容する第一の突出部９２２と同様の第三の突出部９２８と、上方向に突出するリップ９３１を有する、棚９２４と同様の第二の棚９３０と、アクチュエータ・アーム９３２を備える第二のスイッチとをさらに含んでもよい。このような実施形態では両方のスイッチ９２６、９３２が起動されなければ装置９１６は機能しなくてもよく、および／または動作は誘発されなくてもよく、および／またはスイッチが起動されたときのみ動作が誘発されてもよい。必要に応じて多数のカートリッジ９００が利用された場合でも、装置９１６はカートリッジの突起により起動されうる単一のスイッチおよびアームのみを有してもよい。
【０１０７】
図４１は対向壁に２つのカートリッジ９０２、９３２を有するように図示されているが、任意の数のカートリッジが利用でき、本体部９２０の任意の壁に着脱可能に取り付けられることができる。
【０１０８】
図４２および図４３に、第十六実施形態の活性物質カートリッジ９５０が図示されている。カートリッジ９５０は相互に一体形成されセクション９５２ａ〜９５２ｄ間に弾性部９５３ａ〜９５３ｃを含む第一、第二、第三、第四セクション９５２ａ〜９５２ｄを含む。第一および第三セクション９５２ａ、９５２ｃは活性物質を入れたリザーバ９５４ａ、９５４ｃを含み、第二および第四セクション９５２ｂ、９５２ｄはカートリッジ９５０を取付け可能な活性物質放射装置９６０に給電するための１つ以上のバッテリ９５６ｂ、９５６ｄを含んでもよい。第二および第四セクション９５２ｂ、９５２ｄはそれぞれバッテリ９５６ｂ、９５６ｄを保持するためのアパーチャ９６１ｂ、９６１ｄを含むことが望ましい。バッテリ９５６ｂ、９５６ｄは、各バッテリ９５６ｂ、９５６ｄの一部がセクション９５２ｂ、９５２ｄの後ろに、各バッテリ９５６ｂ、９５６ｄの一部がセクション９５２ｂ、９５２ｄの前にあるようにアパーチャ９６１ｂ、９６１ｄに挿入される。必要に応じて、カートリッジ９５０はリザーバを有する単一のセクション９５２ａ〜９５２ｄのみ、あるいは１つ以上のバッテリ９５６を有する単一のセクション９５２ａ〜９５２ｄのみを含んでいてもよい。第一のおよび第四セクション９５２ａ、９５２ｄはそれぞれの端部から延出する１つ以上のタブ９６４ａ、９６４ｄを含む。各タブ９６４ａ、９６４ｄはアパーチャ９６６ａ、９６６ｄを含む。
【０１０９】
図４３に示されるように、カートリッジ９５０は活性物質放射装置９６０に取り付けられることが望ましい。装置９６０はベース部９６７と、ベース部９６７と一体形成されベース部９６７から上方向に延出する本体部９６８とを含む。さらに、装置９６０は第一、第二、第三、第四の壁９７０ａ〜９７０ｄを含み、第一および第四壁９７０ａ、９７０ｄは図３４および図３５のアンカ７６４ａ、７６４ｂと同様の１つ以上のアンカ９７２ａ、９７２ｄを有する。
【０１１０】
カートリッジ９５０は、１組のアンカ９７２ａ、９７２ｄがそれぞれのアパーチャ９６６ａ、９６６ｄを通じて延出し、弾性部９５３ａ〜９５３ｃを撓曲させることでセクション９５２ａ〜９５２ｄを壁９７０ａ〜９７０ｂ回りに巻き付け、カートリッジ９５０を装置９６０上に固定すべく他のセットのアパーチャ９６６ａ、９６６ｄをそれぞれのセットのアンカ９７２ａ、９７２ｄ上に係止するようにカートリッジ９５０を位置決めすることで、装置９６０に取り付けられる。必要に応じて、第一および第四のセクション９５２ａ、９５２ｄが装置９６０の第一および第四の壁９７０ａ、９７０ｄに取り付けられる代わりに相互に取り付けられることができるように、タブ９６４ａ、９６４ｄから１組のアパーチャ９６６ａ、９６６ｄを省略し、固定手段で置き換えてもよい。バッテリ９５６ｂ、９５６ｄは、バッテリ９５６ｂ、９５６ｄが装置９６０への給電用正極または負極を画定する凹部に挿入されることができるよう、バッテリ９５６ｂ、９５６ｄの接点９７４ｂ、９７４ｄが各セクション９５２ｂ、９５２ｄの後ろにあるよう位置決めされることが望ましい。また、カートリッジ９５０を装置９６０に固定することで、バッテリ９５６ｂ、９５６ｄがカートリッジ９５０内に保持されることが望ましい。カートリッジ９５０はバッテリ９５６を交換し、あるいはアンカ９７２ａ、９７２ｄからアパーチャ９６６ａ、９６６ｄの係止を解除しカートリッジ９５０を取り外すことによりカートリッジ９５０全体を交換すべく取り外し可能である。
【０１１１】
第十七実施形態の活性物質カートリッジ１０００が図４４および図４５に図示されている。カートリッジ１０００は活性物質を入れたリザーバ１００２とリザーバ１００２を囲繞するリップ部１００４とを含む。リップ部１００４は頂部１００６と底部１００８とを含み、頂部１００６は第一の略Ｔ字型アパーチャ１０１０を含み、底部は第二の略Ｔ字型アパーチャ１０１２を含む。アパーチャ１０１０、１０１２は同様のサイズおよび形状を有するように図示されているが、サイズおよび形状は必要に応じて変えることができ、および／または任意の可能な形状またはサイズが利用できる。
【０１１２】
カートリッジ１０００は活性物質放射装置１０１６に取り付けられてもよい。例示的装置１０１６はベース部１０１８と、ベース部１０１８と一体形成されるとともにベース部１０１８から上方向に延出する本体部１０２０とを含む。本体部１０２０の第一の壁１０２２はそこから延出する第一および第二の離間された突起１０２４ａ、１０２４ｂを含み、突起１０２４ａ、１０２４ｂはカートリッジ１０００のそれぞれのアパーチャ１０１０、１０１２の少なくとも一部の形状と相補的な形状を有する。カートリッジ１０００は、突起１０２４ａ、１０２４ｂがアパーチャ１０１０、１０１２をそれぞれ画定する壁と係合し、カートリッジ１０００を第一の壁１０２２上に保持するように、装置１０１６上に位置決めされてもよい。図４５に示されるように、装置１０１６は第一の壁１０２２に対向する第二の壁１０３０を含み、第二の壁１０３０は必要に応じて設けられる、カートリッジ１０００と同様の第二のカートリッジ１０３４を固定し保持するための第三および第四の突起１０３２ａ、１０３２ｂを含んでもよい。図４４および図４５の実施形態では必要に応じて任意の数のカートリッジが利用できる。カートリッジは本体部１０２０の任意の壁に配置できる。
【０１１３】
本発明は図４６、図４６Ａ、図４７に図示される第十八実施形態の活性物質カートリッジ１０５０を含んでいてもよい。カートリッジ１０５０はバッフル１０５４により分離された第一および第二のリザーバ１０５２ａ、１０５２ｂを含み、リザーバ１０５２ａ、１０５２ｂはバッフル１０５４に連続するリップ部１０５６により囲繞される。バッフル１０５４は中央部１０５８に三角形のアパーチャ１０５７を含むことが望ましい。
【０１１４】
カートリッジ１０５０は活性物質放射装置１０６０に取り付けられることが望ましい。装置１０６０はベース部１０６２と、ベース部１０６２と一体形成されるとともに上方向に延出する本体部１０６４とを含む。装置１０６０の第一の壁１０６６は中央部から延出する第一および第二の弾性突起１０６８ａ、１０６８ｂ（図４７参照）を含む。突出部１０６８ａ、１０６８ｂはステム部１０７０ａ、１０７０ｂと、ステム部１０７０ａ、１０７０ｂから延出するフック部１０７２ａ、１０７２ｂとをそれぞれ含む。カートリッジ１０５０は装置１０６０に取り付けられることが望ましく、第一の壁１０６６から延出する突起１０６８ａ、１０６８ｂはアパーチャ１０５７を画定する壁と係合する。アパーチャ１０５７を画定する壁はステム部１０７０ａ、１０７０ｂの後ろ側にステム部１０７０ａ、１０７０ｂと隣接して配置されるように、カートリッジ１０５０の取付けの際にフック部１０７２ａ、１０７２ｂのチップ部１０７４ａ、１０７４ｂ上を滑動することが望ましい。各ステム部１０７０の長さは、アパーチャ１０５７の少なくとも一部を画定する壁がステム部１０７０ａ、１０７０ｂの後ろ側にステム部１０７０ａ、１０７０ｂと隣接して配置されたときにリザーバ１０５２ａ、１０５２ｂのそれぞれの後面１０７６ａ、１０７６ｂの一方または両方が壁１０６６と接触するように、リザーバ１０５２におけるカートリッジの深さＴに対して選択されることが望ましい。カートリッジ１０５０は突起１０６８ａ、１０６８ｂを相互の方向に押圧し、カートリッジ１０５０を装置１０６０から突起１０６８ａ、１０６８ｂにかけられる圧力に対し横方向に引っ張ることで取り外される。当業者には明らかなように、任意の数のカートリッジ１０５０と本体部１０６４の任意の壁に取り付けられるキャップとが利用できる。
【０１１５】
必要に応じて、図４７に示されるように、装置１０６０は第一の壁１０６６に対向する、突起１０６８ａ、１０６８ｂと同様の第三および第四の突起１０８２ａ、１０８２ｂを有する、必要に応じてカートリッジ１０５０と同様の第二のカートリッジ１０８４を固定し保持するための第二の壁１０８０を含んでもよい。さらに必要に応じて、カートリッジ１０５０および／またはカートリッジ１０８４は約４ｍｍ〜約６ｍｍの厚みｔを有してもよい。このような構成では、Ｔよりも１ｍｍまたは２ｍｍ大きい厚みを有するカートリッジは装置１０６０には嵌められない（ｆｉｔしない）。
【０１１６】
第十九実施形態の活性物質カートリッジ１１００が図４８および図４９に示されている。カートリッジ１１００は第一および第二のカートリッジ部１１０２ａ、１１０２ｂを含む。各カートリッジ部１１０２ａ、１１０２ｂはバッフル１１０６ａ、１１０６ｂにより分離された２つのリザーバ１１０４ａ、１１０４ｂを含み、各バッフル１１０６ａ、１１０６ｂは、各リザーバ１１０４ａ、１１０４ｂを囲繞しバッフル１１０６ａ、１１０６ｂとそれぞれ連続するリップ部１１０８ａ、１１０８ｂを含む。中央部１１１２ａ、１１１２ｂは、貫通形成された三角形のアパーチャ１１１０ａ、１１１０ｂを含む。結合部１１２６は２つのカートリッジ部１１０２ａ、１１０２ｂのリップ部１１０８ａ、１１０８ｂとそれぞれ結合され、一体のカートリッジ１１００を形成する。必要に応じて、カートリッジ１１００は結合部１１２６の頂面１１２９から延出する直立突起を含んでいてもよく、直立突起は図３８および図３９について説明したものと同様であってもよい。
【０１１７】
図４８および図４９のカートリッジ１１００は活性物質放射装置１１３０に取り付けられることが望ましく、装置１１３０はベース部１１３２と、ベース部１１３２に一体形成されベース部１１３２から上方向に延出する本体部１１３３とを含む。装置１１３０は第一および第二の対向壁１１３４ａ、１１３４ｂを含み、各壁１１３４ａ、１１３４ｂは延出し、相互に離間された２つの弾性突起１１３６ａ、１１３６ｂを含む。各突起１１３６ａ、１１３６ｂはステム部１１３７ａ、１１３７ｂと、ステム部１１３７ａ、１１３７ｂからそれぞれ延出するフック部１１３９ａ、１１３９ｂとを含む。第一および第二のホール１１３８ａ、１１３８ｂがそれぞれ第一および第二の壁１１３４ａ、１１３４ｂに隣接してベース部１１３２に形成されている。必要に応じて、図３８および図３９の実施形態について詳述したように装置１１３０はスイッチおよびアクチュエータ・アームを含んでもよい。
【０１１８】
カートリッジ１１００はカートリッジ部１１０２ａ、１１０２ｂをそれぞれベース部１１３２のホール１１３８ａ、１１３８ｂに挿入することで装置１１３０に挿入される。カートリッジ部１１０２ａ、１１０２ｂがホール１１３８ａ、１１３８ｂに完全に挿入されると、突起１１３６ａ、１１３６ｂはアパーチャ１１１０ａ、１１１０ｂを画定する壁に係合し、カートリッジ部１１０２ａ、１１０２ｂを固定し保持する。アパーチャ１１１０ａ、１１１０ｂを画定する壁は、アパーチャ１１１０ａ、１１１０ｂを画定する壁がそれぞれのステム部１１３７ａ、１１３７ｂの後ろ側にそれぞれのステム部１１３７ａ、１１３７ｂと隣接して配置されるように、カートリッジ１１００の取付けの間、フック部１１３９ａ、１１３９ｂのチップ部１１４１ａ、１１４１ｂ上を滑動することが望ましい。各ステム部１１３７ａ、１１３７ｂの長さは、リザーバ１１０４ａ、１１０４ｂにおけるカートリッジ１１００の深さＴ１に対し、アパーチャ１１１０ａ、１１１０ｂの少なくとも一部を画定する壁がステム部１１３７ａ、１１３７ｂの後ろ側にステム部１１３７ａ、１１３７ｂと隣接して配置されると各リザーバ１１０４ａ、１１０４ｂの後面１１４３ａ、１１４３ｂの一方または両方がそれぞれの壁１１３４ａ、１１３４ｂと接触するように選択されることが望ましい。
【０１１９】
図５０、図５０Ａ、図５１、図５１Ａに図示されるように本発明はさらに第二十実施形態の活性物質カートリッジ１１５０を含んでいてもよい。活性物質カートリッジ１１５０はフレーム１１５２の前部１１５６に配置されフレーム１１５２により全体を囲繞された、活性物質を入れたリザーバ１１５４を有するフレーム１１５２を含んでもよい。フレーム１１５２はさらにフレーム１１５２の下部１１６０の第一の側１１６１ａと第二の側１１６１ｂの間にに取り付けられる弾性バンド１１５８を含む。バンド１１５８とフレーム１１５２は中空半円筒形を間に形成する。
【０１２０】
図５１に示されるように、カートリッジ１１５０は活性物質放射装置１１６２に挿入されてもよい。装置１１６２はベース部１１６４と、ベース部１１６４と一体形成されるとともにベース部１１６４から上方向に延出する本体部１１６６とを含む。ベース部１１６４はアパーチャ１１６７を含み、アパーチャ１１６７の幅Ｗ１は全体としてカートリッジ１１５０の幅Ｗ２よりも小さい。図５０に示されるように、カートリッジ１１５０はバンド１１５８をフレーム１１５２に対して撓曲した位置１１７０まで内方向に撓曲させることで、装置１１６２のベース部１１６４のアパーチャ１１６７から挿入される。バンド１１５８が内方向に撓曲すると、カートリッジ１１５０の幅Ｗ３全体がアパーチャ１１６７の幅Ｗ１よりも小さくなり、カートリッジ１１５０をアパーチャ１１６７から挿入することが可能となる。カートリッジ１１５０が装置１１６２に挿入されると、カートリッジ１１５０は装置１１６２の壁１１８０に沿ってガイドされ、スロット１１８２に入る。カートリッジ１１５０が完全に挿入されると、バンド１１５８は再び撓曲して元の位置に戻り、カートリッジ１１５０の上方向への動きがスロット１１８２を形成するカートリッジ１１５０とフランジ１１８４との干渉によって防止され、カートリッジ１１５０下方向への動きがバンド１１５８とベース１１６４との干渉によって防止される。この位置において、空気がベース１１６４のアパーチャ１１６７を通って流れることができ、バンド１１５８を通りリザーバ１１５４を通過して、リザーバ内の活性物質の放射を補助する。
【０１２１】
必要に応じて、図５０Ａに示されるように、フレーム１１５２は図５０のようにリザーバ１１５４全体を囲繞しなくてもよく、リザーバ１１５４とバンド１１５８とを単に接続するものであってもよい。この場合、カートリッジ１１５０の挿入は図５１について記載した方法と同じ方法で実行される。
【０１２２】
活性物質放射装置１２０２に挿入される第二十一実施形態の１つ以上の活性物質カートリッジ１２００ａ、１２００ｂが図５２および図５３に示されている。各カートリッジ１２００ａ、１２００ｂは各リザーバ１２０４ａ、１２０４ｂを囲繞するリップ部１２０６ａ、１２０６ｂを有するリザーバ１２０４ａ、１２０４ｂを含む。リップ部１２０６ａ、１２０６ｂは半剛性であることが望ましい。装置１２０２は図１の〜図７の実施形態について詳述した装置１００と同様の装置である。
【０１２３】
装置１２０２は装置１２０２の構成要素を保持する本体１２０７を含む。特に、筐体１２０８は装置１２０２内に配置され、筐体１２０８は延出するアクチュエータ・アーム１２１０を有するスイッチ１２０９を含み、スイッチ１２０９は筐体１２０８の頂面１２１２から延出する。第一および第二の弾性フィンガー１２１４ａ、１２１４ｂは筐体１２０８の側部１２１６ａ、１２１６ｂにそれぞれ固定される。装置１２０２は本体１２０７の頂部壁１２２０に隣接して配置されるベント部１２１８をさらに含む。ばね１２２２はベント部１２１８にばねにより付勢された動作を与えるべく筐体１２０８とベント部１２１８の間に配置される。さらに、ベント部１２１８は底面１２２６から延出する第一、第二、第三の突起１２２４ａ〜１２２４ｃを含む。
【０１２４】
カートリッジ１２００ａ、１２００ｂが装置１２０２に挿入されていないとき、弾性フィンガー１２１４ａ、１２１４ｂは第一および第三の突起１２２４ａ、１２２４ｃに当接し、ベント部１２１８が下方向に移動するのを防止する。カートリッジ１２００ａ、１２００ｂがそれぞれ弾性フィンガー１２１４ａ、１２１４ｂに沿って装置１２０２に挿入されているとき、カートリッジ１２００ａ、１２００ｂは弾性フィンガー１２１４ａ、１２１４ｂの頂部１２３０ａ、１２３０ｂが内方向に撓曲し、ベント部１２１８が下方向に移動することを可能とする。ベント部１２１８が適切に稼動し下方向に移動するためには、両方のカートリッジ１２００ａ、１２００ｂは装置１２０２に挿入されなくてはならない。ベント部１２１８の下方向への移動が可能になると、第二の突起１２２４ｂは、ベント部１２１８の下方向の動作とともに、スイッチ１２０９のアクチュエータ・アーム１２１０と接触し装置１２０２内の光１２３２または任意の他の構成要素を起動してもよい。各弾性フィンガー１２１４ａ、１２１４ｂは隣接するそれぞれの弾性フィンガー１２１４ａ、１２１４ｂに各カートリッジ１２００ａ、１２００ｂを固定する手段を含むことが望ましい。図５３はスロット１２３６の形態の固定手段を図示している。各カートリッジ１２００ａ、１２００ｂがそれぞれのスロット１２３６に挿入されそれぞれの弾性フィンガー１２１４ａ、１２１４ｂに沿って移動される。必要に応じて、任意の他の固定手段が利用できる。
【０１２５】
本発明は、装置にカートリッジが定位置にあることを知らせる各種機械的および電気的スイッチを１つ以上の活性物質カートリッジと組み合わせて利用する、図５４〜図５６に図示される活性物質カートリッジのさらなる実施形態を含んでいてもよい。図５４は、活性物質を入れたリザーバ１２５２、リザーバ１２５２を囲繞するリップ部１２５４、およびリップ部１２５４と一体形成されリップ部１２５４から外方向に延出する突起１２５６を含む第二十二実施形態の活性物質カートリッジ１２５０を図示している。カートリッジ１２５０は、突起１２５６が回路盤１２６０に操作可能に結合される機械的スイッチ１２５７のアクチュエータ・アーム１２５８と接触し、押下もしくは起動するように、図１〜図７の装置１００などの活性物質放射装置に挿入されてもよい。アクチュエータ・アーム１２５８が押下されると、装置１００はカートリッジ１２５０が挿入されたことを検出してもよい。必要に応じて、機械的スイッチ１２５８の代わりに電気接点を用いてもよく、突起１２５６は電気的スイッチを作成すべく導電性であってもよい。
【０１２６】
第二十三実施形態のカートリッジ１３００が図５５に示されている。カートリッジ１３００は活性物質を入れたリザーバ１３０２と、リザーバ１３０２を囲繞するリップ部１３０４とを含む。カートリッジ１３００は図１の〜図７の装置１００などの活性物質放射装置に挿入され使用されることが望ましい。装置１００は、好適には導電性材料で形成されるとともに構成要素１３０６から突出するばねフィンガー１３０８を備える、壁、表面、回路盤または任意の他の構成要素などの構成要素１３０６と、ばねフィンガー１３０８の端１３１２から離間された接点１３１０とを含む。カートリッジ１３００が挿入されると、カートリッジ１３００の底面１３１８はばねフィンガー１３０８を押圧し、ばねフィンガー１３０８の端１３１２を接点１３１０と電気的に結合させる。必要に応じて、スイッチ図５５は機械的スイッチであってもよい。接点１３１０の代わりに機械的スイッチを設けてもよい。機械的スイッチはばねフィンガー１３０８と接触することで起動される。
【０１２７】
図５６は第二十四実施形態のカートリッジ１３５０を図示している。カートリッジ１３５０は活性物質を入れたリザーバ１３５２と、リザーバ１３５２を囲繞するリップ部１３５４とを含む。第一の回路形成要素１３５６はリザーバ１３５２の底面１３５８に配置される。カートリッジ１３５０は図１の〜図７の装置１００などの活性物質放射装置に挿入されることが望ましい。活性物質放射装置は第二の回路形成要素１３６２が中に配置される壁、表面、回路盤、または任意の他の構成要素などの構成要素１３６０を含む。カートリッジ１３５０が装置１００に挿入されると、カートリッジ１３５０上の第一の回路形成要素１３５６は隣接する第二の回路形成要素１３６２に配置される構成となっており、これにより回路およびカートリッジ１３５０が装置１００内に配置されたことを警告する警告装置１００を形成する。第一および第二の回路形成要素１３５６、１３６２は任意のタイプの回路形成要素とすることができ、導電性インク、フォイルホットスタンピング、導電性金属構成要素、抵抗器、電気的要素、または任意の他の既知の回路形成要素などが挙げられるがこれらに限定されない。必要に応じて、リザーバ１３５２は導電性材料で作製でき、中に入れる活性物質も導電性とすることで、カートリッジ１３５０全体を導電性とすることができる。
【０１２８】
第二十五実施形態の活性物質カートリッジ１５００が図５７〜図６２に図示されている。図５９および図６０を参照すると、カートリッジ１５００はベース部１５０２と円筒形本体部１５０４とを含む。ベース部１５０２はその中央部１５１０に円筒形キャビティ１５０８を含むことが望ましい。本体部１５０４は、、円筒形本体部１５０４の外側表面１５１２がキャビティ１５０８の内側面１５１４と係合するように、ベース部１５０２のキャビティ１５０８に着脱可能に挿入される。本体部１５０４は１つ以上のねじ１５１６によってキャビティ１５０８に固定されることが望ましい。必要に応じて、本体部１５０４をキャビティ１５０８内に固定するために任意の他の手段が利用されてもよい。例えば干渉嵌め（ｆｉｔ）、スナップ係合、接着剤、固定具などおよびこれらの組み合わせが可能である。さらに、必要に応じて永久的取付手段など任意の他の取付手段が利用できる。
【０１２９】
ベース部１５０２は中空であり、中空半球形状の壁１５２０を含む。壁１５２０の底エッジ１５２２は使用のために表面に位置するよう構成されている。必須要件ではないが、ベース部１５０２はカートリッジ１５００に給電する１つ以上のバッテリ１５２４ａ、１５２４ｂ（図６０参照）を収容することが望ましい。
【０１３０】
再度図５９および図６０を参照すると、カートリッジ１５００は外側スリーブ１５３０と、外側スリーブ１５３０に隣接し外側スリーブ１５３０と滑動係合する内側スリーブ１５３２とを含む。内側スリーブ１５３２は底部１５３４と、底部１５３４の上に配置されるとともに底部１５３４と一体形成された頂部１５３６とを含む。底部１５３４は第一の円筒形壁１５３８と第一の円筒形壁１５３８の底周縁１５４２を接続する円形底壁１５４０とを含む。閉位置（図５９参照）において、容器１５４４は底壁１５４０の頂面１５４６に静止する。容器１５４４は活性物質１５４７、好適にはその中に配置される液体活性物質、およびそこから上方向に延出する芯１５４８を含む。
【０１３１】
図６２を参照すると、突出部１５６０は底壁１５４０の底面１５６２から延出する。回転可能なレバー１５６４は回動点１５６６回りに移動できるように、回動点１５６６において突出部１５６０に固定される。さらに図６０に示されるように、第一の円筒形壁１５３８の一部１５６８と底壁１５４０の一部１５７０はレバー１５６４が閉位置（図５９参照）において容器１５４４の底面１５７２に抗して静止することを可能とすべく取り外される。
【０１３２】
図６１に示されるように、円形頂部壁１５８０は第一の円筒形壁１５３８の頂部周縁１５８２にわたって延出する。頂部壁１５８０はその中央部１５８６を通って延出する円形アパーチャ１５８４と、頂部壁１５８０から延出して円形アパーチャ１５８４を囲繞する第二の円筒形壁１５８８とを含む。発散器として機能し、最小の厚みを有する円形有孔パッド１５９２が頂部壁１５８０の上に配置されることが望ましい。
【０１３３】
図５９および図６０を参照すると、内側スリーブ１５３２の頂部１５３６は第一の円筒形壁１５３８と一体形成され、第一の円筒形壁１５３８から上方向に延出する第三の円筒形壁１６００を含む。第三の円筒形壁１６００は周縁１６０４回りに配置される複数のアパーチャ１６０２を含む。アパーチャ１６０２はカートリッジ１５００の通気用に設けられ、活性物質１５４７の循環を可能とする。また、第三の円筒形壁１６００は周縁１６０４回りに円形フランジ部１６０６を有し、フランジ部１６０６はアパーチャ１６０２の上方、且つ第三の円筒形壁１６００の頂部周縁１６０８の下方に配置される。
【０１３４】
半円筒形キャップ１６３０は、キャップ１６３０の内側面１６３２が第三の円筒形壁１６００の外側表面１６３４に係合し、キャップ１６３０の底周縁１６３６が第三の円筒形壁１６００のフランジ部１６０６上に静止するように、第三の円筒形壁１６００に固定される。キャップ１６３０はスナップ係合、干渉嵌め（ｆｉｔ）、固定具、これらの組み合わせ、または任意の他の既知の固定手段などにより第三の円筒形壁１６００に取り外し可能に取り付けられる。必要に応じてキャップ１６３０は成型などによって第三の円筒形壁１６００に永久的に取り付けられてもよい。キャップ１６３０は頂部１６４２に向けてテーパ状とされ、レンズ１６４４が頂部１６４２に配置される。必要に応じて、１つ以上の発光用ＬＥＤがレンズ１６４４に配置されてもよい。
【０１３５】
続けて図５９〜図６２を参照すると、外側スリーブ１５３０は周縁１６２２にスロット状の長尺アパーチャ１６２０を含み、アパーチャ１６２０を画定する頂部壁１６２４は突出するタブ１６２６を含み、タブ１６２６は内方向に延出して、取り外された第一の円筒形壁１５３８の部分１５６８に入る。閉位置において、図５９および図６１に示されるように、内側スリーブ１５３２の底壁１５４０から延出するレバー１５６４はタブ１６２６に隣接するスロットに配置される。
【０１３６】
図５９および図６１に示されるように、カートリッジ１５００は閉位置にある。この閉位置において、容器１５４４およびその中に配置された芯１５４８は有孔パッド１５９２から離間され、従って間に空隙１６５０（図６１参照）を形成する。空隙１６５０は液体活性物質１５４７が芯１５４８から有孔パッド１５９２に移動することを防ぎ、従ってカートリッジ１５００から発せられる活性物質１５４７の量を低減する。閉位置において、外側スリーブ１５３０は、外側スリーブ１５３０がフランジ部１６０６に接触する外側スリーブ１５３０により定義される下限まで延出するように、内側スリーブ１５３２周りに配置される。この位置において、第三の円筒形壁１６００のアパーチャ１６０２は外側スリーブ１５３０によって隠蔽され、新鮮な空気がカートリッジ１５００に入り、芳香を有する空気がカートリッジ１５００から出ることを防止する。
【０１３７】
活性物質１５４７を周囲の環境に放射しようとする場合、使用者はキャップ１６３０を把持して上方向に移動させる。この動作が発生すると、キャップ１６３０と内側スリーブ１５３２が全体的に上方向に移動する。内側スリーブ１５３２が上方向に移動すると、内側スリーブ１５３２の底面１５６２から延出する突出部１５６０も移動する。突出部１５６０の上方向の動きにより、レバー１５６４がタブ１６２６に抗して支持し、タブ１６２６はレバー１５６４が上方向に移動することを防止する。レバー１５６４は上方向に移動しないことから、回動点１５６６回りに回転を始める。レバー１５６４が回転すると、レバー１５６４の端１６５２が取り外された底壁１５４０の部分１５６２を通って回転し、これにより容器１５５４に抗してカム動作が発生し容器１５５４を内側スリーブ１５３２の底壁１５４０から離間する方向に上方向に移動させる。
【０１３８】
内側スリーブ１５３２の上方向の動きにより、第三の円筒形壁１６００が外側スリーブ１５３０を超えて延出することが可能となり、従って第三の円筒形壁１６００のアパーチャ１６０２を露出する。さらに、容器１５４４が内側スリーブ１５３２の底部１５３４内で上方向に動くことで容器１５４４から延出する芯１５４８が移動し有孔パッド１５９２と連通する。この連通により芯１５９４は活性物質１５４７を有孔パッド１５９４に移動させることが可能となり、有孔パッド１５９４から放射される活性物質１５４７は第三の円筒形壁１６００のアパーチャ１６０２を通じてカートリッジ１５００の外に循環される。
【０１３９】
図６２に最も明確に示されているように、内側スリーブ１５３２の動作の上限は、タブ１６２６の底壁１６５８に抗して支持することでストップされ、内側スリーブ１５３２のさらなる上方向の動きを防止するレバー１５６４のフィンガー部１６５６の側表面１６５４により定義される。使用者がカートリッジ１５００を閉じたいときは、下方向の圧力がキャップ１６３０に加えられ外側スリーブ１５３０内で内側スリーブ１５３２を下方向に移動させる。この動作が発生すると、レバー１５６４は回転して元の位置に戻り、外側スリーブ１５３０（図５９および図６１参照）の上端１６６０に当接する第三の円筒形壁１６００のフランジ部１６０６により下限が定義される。この位置において、レバー１５６４のフィンガー部１６５６は完全にスロット状アパーチャ１６２０内に位置する。カートリッジ１５００は外側スリーブ１５３０内での内側スリーブ１５３２の上下動は許容するものの、外側スリーブ１５３０内での内側スリーブ１５３２の回転動作は防止する。具体的には、レバー１５６４のフィンガー部１６５６を囲繞する外側スリーブ１５３０が、内側スリーブ１５３２の意図的な回転動作が発生するとフィンガー部１６５６との間に干渉を生ずる。
【０１４０】
図６３には、ＬＥＤ１  １３８ａおよびＬＥＤ２  １３８ｂの通電を制御すべくさらなる電気的構成要素とともに動作する、特定用途向け集積回路（ＡＳＩＣ）２０００の形態の装置が図示されている。所望に応じて、ＡＳＩＣ２０００の代わりにマイクロコントローラ、任意の他のプログラム可能装置または一連の個別論理電子装置を用いてもよい。一般に、ＡＳＩＣ２０００は、ＬＥＤ１  １３８ａが連続的に通電され、ＬＥＤ２  １３８ｂが点滅するように見えるように、ＬＥＤ１  １３８ａとＬＥＤ２  １３８ｂとを操作する。所望によりＡＳＩＣ２０００はＬＥＤ１  １３８ａを点滅するように見せ、ＬＥＤ２  １３８ｂを連続的に通電されるように見せてもよい。またＬＥＤ１  １３８ａおよびＬＥＤ２  １３８ｂの両方を点滅または連続的に通電されるように見せてもよい。詳細は後述するが、好適な実施形態においてＬＥＤ１  １３８ａは実際には高周波でパルスされる。周波数はＬＥＤ１  １３８ａが連続的に通電されているように見せかけるのに十分である。これによりバッテリ電力が節約される。
【０１４１】
また、好適な実施形態において、ＬＥＤ２  １３８ｂの動作に関するデューティサイクルを確立すべく擬似乱数生成器（ａ  ｐｓｅｕｄｏ  ｒａｎｄｏｍ  ｎｕｍｂｅｒ  ｇｅｎｅｒａｔｏｒ）２００２をパルス幅変調（ＰＷＭ）値表２００４およびタイマー２００６とともに利用することによってＬＥＤ２  １３８ｂは点滅効果を得るべく通電される。擬似乱数生成器２００２は１６ビットシフトレジスタＳＲの特定のビット位置に結合された連続する３つのＮＯＲゲートＧｌ、Ｇ２、Ｇ３として機能的に図６６のブロック図で示される。生成器２００２の初期値は３０４５（十六進法）である。
【０１４２】
電荷ポンプおよび平均電流源２００８は、ＬＥＤ１３８ａ、１３８ｂを適切に操作するためのＬＥＤ１  １３８ａおよびＬＥＤ２  １３８ｂ用ＰＷＭスイッチ２０１０、２０１２とともに提供される。コンデンサＣ１は電荷ポンプからの電荷を保存し、バッテリ１１２ａ、１１２ｂの出力電圧がＬＥＤ１  １３８ａおよびＬＥＤ２  １３８ｂをオンにするために必要な電圧を下回った場合でもＬＥＤ１およびＬＥＤ２が連続して動作できるようにする。
【０１４３】
ＡＳＩＣ２０００はバッテリ１１２ａ、１１２ｂから電力を受ける。バッテリは直列に接続された１対の従来型ＡＡ１.５Ｖ電池であってもよい。コンデンサＣ２はフィルタリングの目的でＡＳＩＣ２０００の電圧ＶＤＤおよびＶＳＳに接続される。電圧ＶＳＳは接地電位であることが望ましい。ＡＳＩＣ２０００は、さらに、電圧ＶＳＳに結合されたスイッチＳ１からオン-オフ信号を受け取る。ＡＳＩＣ２０００はスイッチＳ１により生成された信号をデバウンスするデバウンサ２０１４を含む。
【０１４４】
ＡＳＩＣ２０００は、ＡＳＩＣ２０００の内部クロックとして機能する発振器２０１６、ＡＳＩＣ２０００が通電されると各種パラメータをリセットするパワーオンリセット回路２０１８、および、バッテリ電圧が特定のレベルを下回るとＡＳＩＣ２０００を利用不可能とするアンダー電圧検出器２０２０を含む。抵抗器Ｒは電圧ＶＳＳと、ＡＳＩＣ２０００の内部に結合されるとともに発振器２０１６の周波数を確立するコンデンサ（図示せず）とに結合される。
【０１４５】
さらに、好適な実施形態において、ＡＳＩＣ２０００は１対のタイマー２０２２、２０２４、ＬＥＤ１  １３８ａおよびＬＥＤ２  １３８ｂを制御するためのプログラミングを実行するシステムコントローラ２０２６、８ビットアドレスレジスタ２０２７、６ビットアドレスポインタレジスタ２０２８、およびシャットダウンタイマー２０３０を含む。詳細は後述するが、アドレスポインタレジスタ２０２８により任意の特定の時間に生成される値は、レジスタ２０２７により生成された８ビット値から第二および第三最下位ビットが除去され、より上位のビットが最下位ビット側にシフトされたときにアドレスレジスタ２０２７により生成される値と等しい。
例えば、特定の時間にアドレスレジスタ２０２７により生成された値が０１１０１１００である場合、その時間のアドレスポインタレジスタ２０２８の出力値は０１１０１０である。同様に、アドレスレジスタ２０２７の電流出力値が１０１０１００１、００００１１１０、または１００１１１１１である場合、アドレスポインタレジスタの電流出力値はそれぞれ１０１０１１、００００１０、または１００１１１である。
【０１４６】
次に図６４を参照すると、一連の波形図が回路図６３の動作を図示している。ＭＯＤＥと書かれた波形線図は、スイッチＳ１の状態やバッテリ１１２ａ、１１２ｂにより生成される電圧ＶＤＤなどの各種状態に応答したＡＳＩＣ２０００の動作を反映する。図６３に示されるようにスイッチＳ１が開放されると、電圧ＶＤＤがデバウンサ２０１４に供給される。図６３のスイッチＳ１が閉鎖されると、図６４に示されたＯＮ＿ＯＦＦ信号における０と１との間の移行に反映されるように電圧ＶＳＳの形態の低状態信号がデバウンサ２０１４に供給される。スイッチＳ１が解放されると、ＯＮ＿ＯＦＦ信号の０から１へ状態の移行が発生し、ＡＳＩＣ２０００は時間ｔ1においてオンモードに入る。後述するように、オンモードにおける動作の間、ＬＥＤ１  １３８ａおよびＬＥＤ２  １３８ｂは点灯する。時間ｔ2においてスイッチＳ１が瞬間的に閉鎖され、次いで開放されると、ＡＳＩＣ２０００は動作のスリープモードに入る。このモードの間、少なくとも特定の期間（例えば８ミリ秒間）、スイッチＳ１の瞬間的な閉鎖を検出すべく機能を維持するためデバウンサ２０１４のみがアクティブである。次いで、時間ｔ3における少なくとも特定の期間のスイッチＳ１の閉鎖と開放によりＡＳＩＣ２０００は再度オンモードに入る。
【０１４７】
時間ｔ3に続いて、スイッチＳ１が例えば４時間の所定の遅延期間の間起動されていない場合、ＡＳＩＣ２０００は自動的に時間ｔ4で示されるスリープモードに入る。時間ｔ5において、続いて起こるスイッチＳ１の瞬間的な閉鎖と開放によりＡＳＩＣ２０００を再度オンモードに入る。
【０１４８】
時間ｔ6において、ＡＳＩＣ２０００に供給されている電力が１つ以上のバッテリ１１２を取り外すことなどによって中断される。時間ｔ7で電力をＡＳＩＣ２０００に再度印加することで、パワーオンリセットモードに入る。ＡＳＩＣ２０００で利用される値は初期化される。次いで、ＡＳＩＣ２０００は時間ｔ8においてスイッチＳ１が瞬間的に閉鎖され解放されるまでスリープモードに入る。時間ｔ8に続き、時間ｔ9で示されるようにＡＳＩＣ２０００は４時間自動停止遅延期間が満了するまで、あるいはスイッチＳ１が瞬間的に閉鎖されるまで、あるいはバッテリ１１２により生成される電圧が例えば１.８ボルトの特定のレベルを下回るまでオンモードを維持する。
【０１４９】
ＡＰＰＡＲＥＮＴ＿ＬＥＤ１およびＡＰＰＡＲＥＮＴ＿ＬＥＤ２として示される波形図に示されるように、ＬＥＤ１  １３８ａは連続的にオンであるように見えるように操作され、一方でＬＥＤ２  １３８ｂは擬似乱数点滅パターンで点滅するように見えるように操作される。ＬＥＤ２  １３８ｂに関しては、同一持続時間の多数のフレームが確立され、各フレームは多数のパルスサイクルを含む。必須要件ではないが、各パルスサイクルの長さは４.３ミリ秒でありフレーム毎に２４パルスが含まれることが望ましい。従って、各フレームの持続時間は１０３ミリ秒である。また、特定のフレームのためのパルスオンタイムは全て持続時間において等しく、この結果当該フレームの特定の平均電流の大きさが得られることが望ましい。また、必須要件ではないが、点滅効果を提供するために特定の平均電流の大きさとは異なる平均電流を提供すべく隣接するフレームのパルス幅は異なっていることが望ましい。フレームのパルス幅の選択は擬似乱数生成器２００２およびＰＷＭ値表２００４の項目により制御される。
【０１５０】
図６４の一番下の３つの波形図で示されるように、波形ＡＣＴＵＡＬ＿ＬＥＤ１およびＡＣＴＵＡＬ＿ＬＥＤ２はＬＥＤ１  １３８ａおよびＬＥＤ２  １３８ｂにそれぞれ印加される駆動波形を表す。（波形ＡＣＴＵＡＬ＿ＬＥＤ１およびＡＣＴＵＡＬ＿ＬＥＤ２の縮尺は波形ＡＰＰＡＲＥＮＴ＿ＬＥＤ１およびＡＰＰＡＲＥＮＴ＿ＬＥＤ２の縮尺に対して大幅に拡大されている。）一般に、ＬＥＤ１  １３８ａおよびＬＥＤ２  １３８ｂは、ＬＥＤが任意の特定の瞬間に一定の強度レベルで操作されているように見せかけるため高周波で断続的に操作される。詳細には、時間ｔ10と時間ｔ12の間、ＬＥＤ１  １３８ａは電流の２つのパルスを受け取る。ＬＥＤ２  １３８ｂも同様である。特に、時間ｔ10と時間ｔ12の間の合計２つのサイクルの第一の１／６においてＬＥＤ１  １３８ａとＬＥＤ２  １３８ｂはいずれも電流パルスを受け取らない。２つのサイクルの第二の１／６ではＬＥＤ２  １３８ｂは電流のパルスを受け取り、ＬＥＤ１  １３８ａは受け取らない。２つのサイクルの第三の１／６においてＬＥＤ１  １３８ａは電流パルスを受け取り、ＬＥＤ２  １３８ｂは受け取らない。２つのサイクルの第四の１／６において（第二のサイクルは時間ｔ11で開始する）ＬＥＤ１  １３８ａとＬＥＤ２  １３８ｂはいずれも電流パルスを受け取らず、２つのサイクルの第五の１／６においてＬＥＤ１  １３８ａは電流パルスを受け取り、ＬＥＤ２  １３８ｂは受け取らない。最後に、２つのサイクルの第六の１／６においてＬＥＤ２  １３８ｂは電流パルスを受け取り、ＬＥＤ１  １３８ａは受け取らない。
【０１５１】
次いで、上記サイクル対は、バッテリ１１２により生成された組み合わされた電圧がＬＥＤ１  １３８ａおよびＬＥＤ２  １３８ｂを通電するに足る必要な電圧を下回るまで繰り返される。この点で、電荷ポンプ２００８はＬＥＤ１  １３８ａおよびＬＥＤ２  １３８ｂに十分な順電圧を提供すべく起動される。具体的には、ＬＥＤ１  １３８ａおよびＬＥＤ２  １３８ｂは上述の如く電流パルスを受け取り、電荷ポンプ２００８は図６３の電荷コンデンサＣ1のサイクル対の第一の１／６から第四の１／６の間オンとなる。コンデンサＣ1は次いで十分な駆動を維持するための十分な電圧をＬＥＤ１  １３８ａおよびＬＥＤ２  １３８ｂに提供する。必須要件ではないが、ＬＥＤ１  １３８ａおよびＬＥＤ２  １３８ｂの駆動パルスは４５ミリアンペアのピーク電流を有し、約４.２マイクロ秒の典型的なパルス幅を有することが望ましい。所望に応じて、これらの値は異なるＬＥＤ強度を得るべく変更できる。
【０１５２】
次に図６４の波形に従ったＡＳＩＣ２０００の全体的な動作を示した（一番下の３つの波形を除く）フローチャート図６５Ａおよび６５Ｂを参照すると、制御はブロック２０４０で開始され、パワーオンリセット信号が生成されたか否かがチェックされる。この信号は、バッテリが最初に活性物質放射装置に配置されたとき、または枯渇したバッテリが充電したバッテリに交換されたとき、あるいは充電したバッテリが装置から取り外され、装置に戻されたとき、および最小供給電圧に到達したときに生成される。
【０１５３】
次いで、制御はブロック２０４２に進み、動作のリセットモードが実行される。これにより全ての内部レジスタが開始値を定義すべく設定され、全てのタイマーがリセットされる。次いでブロック２０４６は動作のスリープモードを実行する。スリープモードにおける動作の間、ＡＳＩＣ２０００の全ての内部構成要素は作動を停止し、デバウンサ２０１４のみがいつスイッチＳ１が特定の期間より長い期間にわたり瞬間的に押下されるかを判断するためアクティブのままである。
【０１５４】
後続のブロック２０４６において、制御はスイッチＳ１が瞬間的に押下・解放されたという決定がなされるまでブロック２０４８で一時停止する。この動作が検出されると、ブロック２０５０は図６３の擬似乱数生成器２００２を初期化し、擬似乱数生成器２００２に図６６のシフトレジスタＳＲの出力において１６ビットの擬似乱数を生成させる。１６ビットのうち８つの最下位ビットは図６３のアドレスレジスタ２０２７にロードされる。このロードにより、ひいてはアドレスポインタレジスタ２０２８に上述の如くレジスタ２０２７にロードされた８ビットの擬似乱数に対応する６ビットの番号が生成される。
【０１５５】
ブロック２０５０に続き、ブロック２０５２が図６３のＰＷＭ値表２００４に記憶された６４ＰＷＭ値の１つを読み出す。一般的に、表２００４に記憶されたＰＷＭ値はＬＥＤ２  １３８ｂのデューティサイクルを定義する。表２００４の隣接する位置に記憶されたＰＷＭ値は相互に特定の関係を有さない（すなわち隣接する収容位置のＰＷＭ値は相互に乱数もしくは擬乱数方式で変わる）ことが望ましいが、必ずしもそうでなくともよい。いずれの場合も、ブロック２０５２はアドレスポインタレジスタ２０２８の６ビットの電流出力値により識別されたアドレスに記憶されている表２００４からＰＷＭ値を読み出す。次いで、ブロック２０５４はブロック２０５２により読み出されたＰＷＭ値に特定の時間の長さ、例えば１６.８マイクロ秒を乗算し、乗算されたブロック２０５２により読み出されたＰＷＭ値をＰＷＭ-ＬＥＤ２＿ＯＮタイマー２００６にロードする。
【０１５６】
ブロック２０５４に続く図６５Ｂのブロック２０５６では、ＬＥＤ１  １３８ａおよびＬＥＤ２  １３８ｂをオンにし、ＰＷＭ-ＬＥＤ２＿ＯＮタイマー２００６を開始させる。この点でバッテリ１１２が完全に充電したと仮定すると、回路２００８の電荷ポンプ部はアクティブでない。次いで、制御はＰＷＭ-ＬＥＤ２＿ＯＮタイマー２００６がオーバーフロー状態を経験するまでブロック２０５８で一時停止する。オーバーフロー状態が発生すると、ブロック２０６０は４.３ミリ秒パルスサイクルのバランスの間ＬＥＤ２  １３８ｂをオフにし、ＰＷＭ-ＬＥＤ＿ＯＮタイマー２００６をリセットする。次いで、制御はスイッチＳ１が瞬間的に押下・解放されたか否かを判断するブロック２０６２に移る。否の場合、ブロック２０６４は４時間タイマーがオーバーフロー状態を経験したか否かを判断する。否の場合、ブロック２０６６は１０３ミリ秒ＰＷＭ-フレームタイマーがオーバーフロー状態を経験したか否かを判断すべくチェックする。さらに否である場合、制御は４.３ミリ秒ＰＷＭパルスサイクルタイマーがオーバーフロー状態を経験するまでブロック２０６８に残り、４.３ミリ秒ＰＷＭパルスサイクルタイマーがオーバーフロー状態を経験すると制御はブロック２０５６に戻って次の４.３ミリ秒ＰＷＭパルスサイクルを開始する。
【０１５７】
ブロック２０６２が、スイッチＳ１が瞬間的に押下・解放されたと判断すると、あるいは、ブロック２０６４が４時間タイマーがオーバーフロー状態を経験したと判断すると、制御は図６５Ａのブロック２０４６に戻り、スリープモードに入る。
【０１５８】
ブロック２０６６が１０３ミリ秒ＰＷＭ-フレームタイマーがオーバーフローされたと判断すると、制御はブロック２０７０に進み、アドレスレジスタ２０２７を増加または減少させる。アドレスポインタを増加または減少するという決定は擬似乱数生成器２００２により生成された１６ビットの擬似乱数の最下位のビットによりなされる。最上位のビットとしての０は、ブロック２０７０にアドレスレジスタ２０２７を減少させ、最上位のビットとしての１はブロック２０７０にアドレスレジスタ２０２７を増加させる。所望に応じて、増加または減少の決定は擬似乱数の別のビットに基づいてもよく、または特定のビット位置における０はブロック２０７０にアドレスレジスタ２０２７を増加させ、特定のビット位置における１はブロック２０７０にアドレスレジスタ２０２７を減少させてもよい。さらに、ブロックは生成器２００２により生成された各擬似乱数について、擬似乱数のビットの値に関わらずアドレスレジスタ２０２７の減少のみ、もしくは増加のみを行ってもよい。さらに、増加または減少を行うか否かを決定する特定のビットは生成器２００２により生成される番号から番号へと変わり得ることが望ましい。いずれの場合も、特定の擬似乱数が生成器２００２により生成されるとアドレスポインタが増加されてもよく、後続の擬似乱数が生成器２００２により生成されるとアドレスポインタは減少され（またはその件については増加され）てもよい。
【０１５９】
ブロック２０７０に続き、ブロック２０７２はアドレスポインタレジスタ２０２８がオーバーフロー状態を経験したか否かを決定すべくチェックする。具体的には、６４値が表２００４に保存されているため、ブロック２０７２はアドレスポインタ２０７０を増加または減少することでアドレスポインタレジスタ２０２８が００００００の値へ減少されたか、または１１１１１１の値へ増加されたかを決定すべくチェックする。否である場合、ブロック２０７４はアドレスポインタレジスタ２０２８の電流値により定義される次のメモリ位置（前のメモリ位置の上か下）でＰＷＭ値を読み取る。ブロック２０７６はメモリ位置に保存されたＰＷＭ値に特定の時間の長さ（すなわち１６.８マイクロ秒）を乗算し、乗算された値をＰＷＭ-ＬＥＤ２＿ＯＮタイマー２００６にロードし、制御は図６５Ｂのブロック２０５６に進み、新しい４.３ミリ秒パルスサイクルが開始される。
【０１６０】
ブロック２０７２がアドレスポインタレジスタ２０２８がオーバーフロー状態を経験したと判断すると、ブロック２０８０はアンダー電圧状態が検出されたか否かを判断すべくチェックする。アンダー電圧状態ではバッテリ電圧が例えば１．８ボルトの特定のレベルを下回る。是であった場合、制御はブロック２０８６に進み、ＡＳＩＣ２０００を動作のバッテリ残量不足モードに入らせる。ブロック２０８６は、例えば放電したバッテリを完全に充電したバッテリと交換することで、パワーオンリセット状態が再度発生するまで、ＡＳＩＣ２０００をバッテリ残量不足モードに維持する。この動作により放電したバッテリがバッテリが漏洩し装置を損傷する点までさらに放電することを防止する。
【０１６１】
ブロック２０８０が電圧状態が検出されていないと判断すると、ブロック２０８２は図６３の擬似乱数生成器２００２に新しい１６ビットの擬似乱数を生成させ、ブロック２０８４によってこの新しい番号の８つの最下位ビットがアドレスレジスタ２０２７にロードされる。次いで、制御は図６５Ａのブロック２０５２に進む。
【０１６２】
２つの８ビットの擬似乱数を無視する上記方法では、表２００４をアドレスする際に表２００４の２つの連続するメモリ位置を合計４回繰り返しアドレスするパターンとなる。すなわち、擬似乱数が００００００００であり、ブロック２０７０が増加する例では、メモリ位置アドレススキームは以下のように進行する。
2008542135.tif 000003
【０１６３】
上記アドレススキームは、比較的小さな表２００４を利用することを可能としながら点滅効果すなわち視覚的に心地よい効果を生ずる。このことが、ひいてはＡＳＩＣ２０００のコストを低減する。
【０１６４】
本願明細書に開示された実施形態の中には光放射器および活性物質放射器を含むものもあるが、本発明はこれに限定されない。実際には本願明細書に開示される装置は光放射器および活性物質放射器の一方または両方を含んでもよい。加熱器またはファンなどの活性物質放射加速器を図５９〜図６２の実施形態または本願明細書に開示される任意の実施形態に組み込んでもよい。
【０１６５】
カートリッジの活性物質放射装置への挿入により起動されるスイッチを利用し、あるいはカートリッジの挿入が回路を完結させ、あるいは構成要素の電気的特性を変更する、本願明細書に開示される任意の実施形態では、このような動作により視覚的および／または聴覚的表示が生成されてもよい。このような動作により装置自身または装置の１つ以上の特徴を可能としまたは変更してもよい。一般的に、カートリッジを活性物質放射装置に挿入することで任意の効果が生ずる。
【０１６６】
さらに、機械的および電気的スイッチならびに回路形成要素を利用した実施形態では、スイッチが押下または接触されていないおよび／または回路が形成されていない場合、装置は適切に機能しないことが望ましい。特に、装置が加熱器、ファン、光、または任意の他の構成要素を含む場合、カートリッジが装置に挿入されていない場合にはこのような構成要素は機能しない。
【０１６７】
必要に応じて、加熱器またはファンなどの活性物質放射加速器を図５９〜図６２の実施形態または本願明細書に開示される任意の実施形態に組み込んでもよい。
【０１６８】
本願明細書に開示されるように、ほとんどの実施形態において活性物質放射装置を記載したが、これらの装置は必要な動作を例示するものであり、本願明細書に記載したカートリッジとともに利用できる装置のタイプを限定するものではない。
【０１６９】
本願明細書に開示されるように任意の活性物質カートリッジは活性物質放射装置から取り外すことができ、新しいカートリッジを装置に挿入できる。各カートリッジの活性物質または任意の他の特徴の消耗をチェックするため、必要に応じて全てのカートリッジを取り外し、再挿入することができる。
【０１７０】
必要に応じて、本願明細書に記載された任意の実施形態の任意の特徴は組み合わされ、さらなる実施形態を形成してもよい。
【０１７１】
本願明細書に記載した活性物質はゲル状または液状であることが望ましい。必要に応じて、活性物質は半固体、固体、あるいはこれらの組み合わせの形態をとることができる。
【産業上の利用可能性】
【０１７２】
本発明は光および／または活性物質放射用装置を含む。装置は本物のキャンドルを模すことで部屋などの領域に所望の全体的な美的雰囲気を提供する。キャンドルを模すことは、本物のキャンドル火炎を模した、火炎を使用しない点滅光を創出することを含む。
【０１７３】
上記説明から、本発明の多数の変更が当業者には明らかである。従って、この説明はあくまで一例であり、当業者が本発明を実施・利用できるようにするため、および本発明を実施するに当たり最良の形態を教示する目的で提示されるものである。添付の特許請求の範囲の精神に含まれるあらゆる変更に対する権利が排他的に保持される。
【図面の簡単な説明】
【０１７４】
【図１】活性物質カートリッジの第一実施形態を含む活性物質放射装置の頂部等角図
【図２】図１の装置の分解図
【図３】ホルダと組み合わせた図１の装置の頂部等角図
【図４】図３の断面線４-４に略沿った図３の装置の断面図
【図５】図３の断面線５-５に略沿った図３の装置の断面図
【図５Ａ】図３の断面線５Ａ-５Ａに略沿った拡大部分断面図
【図５Ｂ】図３の活性物質放射装置の組立ての際の等角分解図
【図５Ｃ】図３の活性物質放射装置の組立ての際の等角分解図
【図５Ｄ】図３の活性物質放射装置の組立ての際の等角分解図
【図６】活性物質カートリッジを図示した図１の装置の正面図
【図７】活性物質カートリッジとレバーの相互作用を図示した図１の装置の頂部等角図
【図８】活性物質カートリッジの第一実施形態の頂部等角図
【図９】図８のカートリッジの側面図
【図１０】図９のカートリッジの分解側面図
【図１１】フレームを取り除いた図８のカートリッジの頂部等角図
【図１２】活性物質リザーバを取り除いた図９のカートリッジの頂部等角図
【図１２Ａ】活性物質リザーバを取り除いた図９のカートリッジの頂部等角図
【図１３】移動止めを有する図８のカートリッジの正面図
【図１４】活性物質カートリッジの第二実施形態の底部等角図
【図１５】図１４のカートリッジの側面図
【図１６】部分的に組み立てられたカートリッジを図示する活性物質カートリッジの第三実施形態の頂部等角図
【図１７】完全に組み立てられた図１６のカートリッジの、図１６の断面線１７-１７に略沿った断面図
【図１８】カートリッジの一部を取り除き、断面図で示した活性物質カートリッジの第四の実施形態の頂部等角図
【図１９】カートリッジの一部を取り除き、断面図で示した、ロック位置における図１８のカートリッジの頂部等角図
【図２０】活性物質放射装置の頂部等角図
【図２０Ａ】カートリッジの第五実施形態を正面図で示す図２０の断面線２０Ａ-２０Ａに略沿った断面図
【図２０Ｂ】図２０Ａのカートリッジの頂部等角図
【図２１】図２０Ｂに示されたカートリッジＢであって図２０の断面線２１-２１に略沿った断面図
【図２２】活性物質カートリッジの第六実施形態の平面図
【図２３】図２２のカートリッジの側面図
【図２４】図２２のカートリッジが組み付けられた活性物質放射装置の底部等角図
【図２５】活性物質カートリッジの第七実施形態の平面図
【図２６】図２５のカートリッジの側面図
【図２７】図２５のカートリッジが挿入された活性物質放射装置の正面図
【図２８】活性物質カートリッジの第八実施形態の平面図
【図２９】活性物質カートリッジの第九実施形態の頂部等角図
【図３０】活性物質カートリッジの第十実施形態の頂部等角図
【図３１】活性物質放射装置に挿入された図３０のカートリッジを示す、図３０の断面線３１-３１に略沿った断面図
【図３２】展開された位置における第十一実施形態の活性物質カートリッジの頂部平面図
【図３３】折り畳まれた位置における図３２のカートリッジの側面図
【図３３Ａ】バッテリを囲繞する図３３のカートリッジの平面図
【図３４】活性物質カートリッジの第十二実施形態の平面図
【図３５】活性物質放射装置に取り付けられた図３４のカートリッジの頂部等角図
【図３６】活性物質カートリッジの第十三実施形態の平面図
【図３７】活性物質放射装置へのカートリッジの挿入を示す、図３６のカートリッジの頂部等角図
【図３８】活性物質放射装置へのカートリッジの挿入を示す、活性物質カートリッジの第十四実施形態の頂部等角図
【図３９】図３８の正面図
【図４０】活性物質放射装置に配置された活性物質カートリッジの第十五実施形態の頂部等角図
【図４１】２つのカートリッジを備える装置を示す、図４０の断面線４１-４１に略沿った断面図
【図４２】活性物質カートリッジの第十六実施形態の平面図
【図４３】活性物質放射装置に取り付けられる図４２のカートリッジの頂部等角図
【図４４】活性物質放射装置に配置された活性物質カートリッジの第十七実施形態の頂部等角図
【図４５】図４４の断面線４５-４５に略沿った断面図
【図４６】活性物質放射装置に配置された活性物質カートリッジの第十八実施形態の頂部等角図
【図４６Ａ】図４６のカートリッジの正面図
【図４７】２つのカートリッジを備える装置を示す、図４６の断面線４７-４７に略沿った断面図
【図４８】活性物質放射装置へのカートリッジの挿入を示す、活性物質カートリッジの第十九実施形態の頂部等角図
【図４９】図４８の正面図
【図５０】活性物質カートリッジの第二十実施形態の頂部等角図
【図５０Ａ】フレームが活性物質のリザーバを完全に囲繞していない、図５０のカートリッジと同様のカートリッジの側面図
【図５１】図５０および５０Ａのカートリッジとともに用いられる活性物質放射装置の頂部等角図
【図５１Ａ】図５０のカートリッジが挿入された図５１の装置の側面図
【図５２】活性物質放射装置に配置されたカートリッジの第二十一実施形態の正面部分断面図
【図５３】図５２の弾性フィンガーの部分等角図
【図５４】カートリッジの第二十二実施形態の頂部等角図
【図５５】カートリッジの第二十三実施形態の側面図
【図５６】カートリッジの第二十四実施形態の側面図
【図５７】閉位置における活性物質カートリッジの第二十五実施形態の正面図
【図５８】開位置における図５７の実施形態の正面図
【図５９】一部を切り欠き、断面図で示した図５７の実施形態の等角図
【図６０】一部を切り欠き、断面図で示した図５８の実施形態の等角図
【図６１】図５９に示す実施形態の正面図
【図６２】図６０に示す実施形態の正面図
【図６３】図４のＬＥＤ１およびＬＥＤ２を制御するように利用できる特定用途向け集積回路（ＡＳＩＣ）の形態のプログラム可能装置のブロック図
【図６４】図６３のＡＳＩＣの動作を示す一連の波形図
【図６５Ａ】図６５Ｂと同一記号の線で合わせると、ＬＥＤ１およびＬＥＤ２を制御すべくＡＳＩＣ２０００により実行されるプログラミングのフローチャートを構成する図
【図６５Ｂ】図６５Ａと同一記号の線で合わせると、ＬＥＤ１およびＬＥＤ２を制御すべくＡＳＩＣ２０００により実行されるプログラミングのフローチャートを構成する図
【図６６】図６３の擬似乱数生成器の機能を示すブロック図
【図１】
2008542135.tif 000004
【図２】
2008542135.tif 000005
【図３】
2008542135.tif 000006
【図４】
2008542135.tif 000007
【図５】
2008542135.tif 000008
【図５Ａ】
2008542135.tif 000009
【図５Ｂ】
2008542135.tif 000010
【図５Ｃ】
2008542135.tif 000011
【図５Ｄ】
2008542135.tif 000012
【図６】
2008542135.tif 000013
【図７】
2008542135.tif 000014
【図８】
2008542135.tif 000015
【図９】
2008542135.tif 000016
【図１０】
2008542135.tif 000017
【図１１】
2008542135.tif 000018
【図１２】
2008542135.tif 000019
【図１２Ａ】
2008542135.tif 000020
【図１４】
2008542135.tif 000021
【図１５】
2008542135.tif 000022
【図１６】
2008542135.tif 000023
【図１７】
2008542135.tif 000024
【図１８】
2008542135.tif 000025
【図１９】
2008542135.tif 000026
【図２０】
2008542135.tif 000027
【図２０Ａ】
2008542135.tif 000028
【図２０Ｂ】
2008542135.tif 000029
【図２１】
2008542135.tif 000030
【図２２】
2008542135.tif 000031
【図２３】
2008542135.tif 000032
【図２４】
2008542135.tif 000033
【図２５】
2008542135.tif 000034
【図２６】
2008542135.tif 000035
【図２７】
2008542135.tif 000036
【図２８】
2008542135.tif 000037
【図２９】
2008542135.tif 000038
【図３０】
2008542135.tif 000039
【図３１】
2008542135.tif 000040
【図３２】
2008542135.tif 000041
【図３３】
2008542135.tif 000042
【図３３Ａ】
2008542135.tif 000043
【図３４】
2008542135.tif 000044
【図３５】
2008542135.tif 000045
【図３６】
2008542135.tif 000046
【図３７】
2008542135.tif 000047
【図３８】
2008542135.tif 000048
【図３９】
2008542135.tif 000049
【図４０】
2008542135.tif 000050
【図４１】
2008542135.tif 000051
【図４２】
2008542135.tif 000052
【図４３】
2008542135.tif 000053
【図４４】
2008542135.tif 000054
【図４５】
2008542135.tif 000055
【図４６】
2008542135.tif 000056
【図４６Ａ】
2008542135.tif 000057
【図４７】
2008542135.tif 000058
【図４８】
2008542135.tif 000059
【図４９】
2008542135.tif 000060
【図５０】
2008542135.tif 000061
【図５０Ａ】
2008542135.tif 000062
【図５１】
2008542135.tif 000063
【図５１Ａ】
2008542135.tif 000064
【図５２】
2008542135.tif 000065
【図５３】
2008542135.tif 000066
【図５４】
2008542135.tif 000067
【図５５】
2008542135.tif 000068
【図５６】
2008542135.tif 000069
【図５７】
2008542135.tif 000070
【図５８】
2008542135.tif 000071
【図５９】
2008542135.tif 000072
【図６０】
2008542135.tif 000073
【図６１】
2008542135.tif 000074
【図６２】
2008542135.tif 000075
【図６３】
2008542135.tif 000076
【図６４】
2008542135.tif 000077
【図６５Ａ】
2008542135.tif 000078
【図６５Ｂ】
2008542135.tif 000079
【図６６】
2008542135.tif 000080
【国際調査報告】
2008542135.tif 000081
2008542135.tif 000082
2008542135.tif 000083
2008542135.tif 000084
2008542135.tif 000085
2008542135.tif 000086